(57)【要約】 動物の洗浄と衛生維持のための動物洗浄ツールが提供された。動物洗浄ツールは、上部ケース部分、底プレート表面、離間され、底プレートから外側に突出したブラッシングエレメントを有する底プレートを含む。上部ケース部分は動物洗浄ツールの上部ケース部分の内側にあるよう設けられた空気供給導管と洗浄剤供給導管を含み、空気供給導管は空気を、洗浄剤供給導管は洗浄剤を提供するように設計されている。動物洗浄ツールを使用する方法は、動物洗浄ツールを使用し洗浄剤を粒子の噴霧されたスプレーとして動物の表面に出すことを含み、提供されている。【選択図】図２
2019526224.tif 000002
【特許請求の範囲】
【請求項１】
動物の衛生を維持するための動物洗浄ツールであって、動物洗浄ツールは以下を含む；
上部ケース部分、
底プレート表面、
離間され、底プレートから外側に突出したブラッシングエレメントを有する底プレート、
上部ケース部分は、動物洗浄ツールの上部ケース部分の内側に出るように設けられた空気供給導管と洗浄剤供給導管を含み、
該空気供給導管は空気を、洗浄剤供給導管は洗浄剤をチャネルするように設計されている。
【請求項２】
請求項１に記載の動物洗浄ツールであって、さらに上部ケース部分内の決められたアパーチャにフィットするノズルを含み、ノズルは上部ケース部分の洗浄剤導管と流体連通する、動物洗浄ツール。
【請求項３】
請求項２に記載の動物洗浄ツールであって、さらに流体リリースキャップを含み、流体リリースキャップはノズルのディスペンス端を閉じるように設計され、流体リリースキャップはさらに吹き出す空気のために設けた空気キャップ穴のセットを含む、動物洗浄ツール。
【請求項４】
以下を含む動物洗浄システム：
流体供給ユニット；
少なくとも一つの供給ホース；及び
動物洗浄ツール、
ここで、少なくとも一つの供給ホースは流体供給ユニットを動物洗浄ツールに接続するよう設計されており、動物洗浄ツールはさらに以下を含む：
上面と底面を有する上部ケース部分、及び少なくとも一つのインレット、上部ケース部分は以下を含む：
空気供給導管と洗浄剤供給導管を収納するよう設けられた内腔、
ここで空気供給導管と洗浄剤供給導管は空気供給源と洗浄剤供給源と流体連通し、
空気供給源は空気を供給し、洗浄剤供給源は洗浄剤を供給するよう設計されている；
底プレート、
ここで、底プレートは上部ケース部分の底表面に取り付けられており、底プレートは以下を含む：
ブラッシングエレメント40のセット、ここで、ブラッシングエレメント40のセットは離間され、底プレートから外側に突出していて、ブラッシングエレメント40のセットは動物の表面をブラッシングするように設計されている；及び
底プレートにある排気開口のセット、ここで、排気開口のセットは上部ケース部分に出ている空気を供給導管と流体連通し；及び        
ノズルのディスペンス端と空気キャップ穴のセットにフィットするアパーチャを含む底プレートに取り付けられるよう設計されている流体リリースキャップ、ここで、空気キャップ穴のセットはノズルのディスペンス端にフィットするアパーチャの周りに略出ている、
ここで、該流体リリースキャップは洗浄剤を粒子の噴霧したスプレーとして動物の表面に出すために設けられている。
【請求項５】
請求項４に記載の動物洗浄システムであって、動物洗浄ツールの上部ケース部分の上表面は、少なくとも特にユーザーの手にフィットするように設計されており、底プレートは動物の表面の方に向けられるように設計されている、動物洗浄システム。
【請求項６】
請求項４に記載の動物洗浄システムであって、底プレートは上部ケース部分に取り外し式に取り付けられている、動物洗浄システム。
【請求項７】
請求項４に記載の動物洗浄システムであって、洗浄剤供給源からの洗浄剤リリースを活性化するように設計されている少なくとも一つの活性化メカニズムを含んでいる、動物洗浄システム。
【請求項８】
請求項４に記載の動物洗浄システムであって、流体供給ユニットは空気供給源と洗浄剤供給源を含んでいる、動物洗浄システム。
【請求項９】
請求項４に記載の動物洗浄システムであって、流体供給ユニットは持ち運び可能なユニットである、動物洗浄システム。
【請求項１０】
請求項４に記載の動物洗浄システムであって、流体供給ユニットが、支持構造に取り付けられている、またはフリースタンド、持ち運び可能でないユニットである持ち運び可能でないユニットで、流体供給ユニットは空気供給源と洗浄剤供給源を含む、動物洗浄システム。
【請求項１１】
請求項４に記載の動物洗浄システムであって、流体供給ユニットは洗浄剤を蓄えるよう設計された洗浄剤貯蔵コンパートメントまたはリザーバーを含む、動物洗浄システム。
【請求項１２】
請求項４に記載の動物洗浄システムであって、空気量を上部ケース部分の空気供給導管にチャネルし、洗浄剤を上部ケース部分の洗浄剤導管にチャネルするために少なくとも一つの供給ホースが設けられている、動物洗浄システム。
【請求項１３】
請求項１２に記載の動物洗浄システムであって、少なくとも一つの供給ホースは、空気量をチャネルする最初の導管、洗浄剤をチャネルする2番目の導管を含む、動物洗浄システム。
【請求項１４】
請求項４に記載の動物洗浄システムであって、さらに動物洗浄ツールの上部ケース部分の内腔内に出るよう設けられたインサートを含み、排気開口のセットはインサートの一つまたはそれ以上の部分に並べられ、インサートの一つまたはそれ以上の部分は底プレートにある開口に対応するセットを通って挿入されるよう設計されている、動物洗浄システム。
【請求項１５】
請求項４に記載の動物洗浄システムであって、排気開口のセットの上部グループは排気開口のセットの底グループよりも上にあり、排気開口のセットの上部グループと底グループは軸方向に整列する、動物洗浄システム。
【請求項１６】
請求項４に記載の動物洗浄システムであって、流体リリースキャップは底プレートに取り外し式で取り付けられている、動物洗浄システム。
【請求項１７】
動物の衛生を維持するための動物洗浄ツールを使用する方法であって、該方法は以下を含む：
流体供給ユニット内の空気源を活性化するユーザー入力の受信、
流体供給ユニットから動物洗浄ツールのプレート表面に出ているまたは取り付けられている空気開口のセットへ空気を流すこと、
動物洗浄ツールのプレート表面に出ているまたは取り付けられている空気開口のセットから動物の表面に空気を流すこと、
動物洗浄ツールのプレート表面に出ているまたは取り付けられている少なくとも一つの開口からの洗浄剤リリースを活性化するユーザー入力の受信、洗浄剤リリースの活性化によって洗浄剤を粒子の噴霧されたスプレーとして動物の表面に出すこと。
【請求項１８】
請求項１７に記載の方法であって、さらに動物表面を乾燥するために動物の表面に空気を流す間に粒子の噴霧されたスプレーを動物の表面にブラッシングすることを含む、方法。
【請求項１９】
請求項１７に記載の方法であって、洗浄剤を粒子の噴霧されたスプレーとして出すことは、さらに以下を含む：
動物洗浄ツールのプレートに出ているまたは取り付けられている少なくとも一つの開口に洗浄剤を流すこと、
動物洗浄ツールのプレートに出ているまたは取り付けられている少なくとも一つの開口から洗浄剤をリリースすること、
動物洗浄ツールのプレートに出ているまたは取り付けられている少なくとも一つの開口から洗浄剤がリリースされると洗浄剤に向かって空気を吹きかけ、粒子の噴霧されたスプレーを形成すること。
【請求項２０】
請求項１７に記載の方法であって、さらに動物洗浄ツールのプレート表面から動物に空気を吹きかけることを含み、空気の吹きかけは動物から汚れ、残骸、余分な毛を取り除き、洗浄剤のリリースが行われる前に動物の濡れた表面を乾燥させる。
【発明の詳細な説明】
【技術分野】
【０００１】
ここに開示される実施形態は動物のグルーミングのためのシステム、装置および方法に関連する。動物の表面に洗浄製品を施すことによる動物の洗浄とまた洗浄デバイスを使用して動物をブラッシングおよび乾かすことに特に適した洗浄デバイスを用いるシステムに、ここに開示される実施形態は特に関連する。
【背景技術】
【０００２】
例えば犬や猫のような家で飼われるペットは、多くの家庭や家族の大切な一員としばしば考えられる。これらのペットは、常に家族の活動のすべてに関与し、恒久的に家族と暮らす。さらに、家庭で飼われるペットは寝室を含む家のすべてのエリアへのフルアクセスを与えられ、飼い主の車両でよく移動や旅行をする。
【０００３】
家庭で飼われるペットのような動物の洗浄やグルーミングは、動物の衛生を維持したり、好ましくない臭いを減らしたりするのに必要である。特に犬は皮膚に汗腺がなく、汗がかけず、体に多くの望まない悪臭を残してしまうと言った事実を含む多くの理由で好ましくない臭いと関わっている。さらに、犬はよくその毛や皮膚に付く泥や汚れの中を走ったり、中で遊んだりする。
【０００４】
ペットサロンや似たような施設にプロの洗浄やグルーミングのためペットを連れていくこともできるが、このような施設は高額で、動物が汚れてもすぐに洗浄やグルーミングができるわけではない。その代わり典型的に飼い主は、大量の水やせっけんを動物にかけたり、スプレーしたり、さらにタオルで乾かし、自然乾燥させることをして、動物をきれいにすることを強いられるようになる。
【０００５】
以下の詳細な解説でさらに説明されている内容のセクションを紹介するためにこの要約は提供されている。この要約は請求（クレーム）された主題のカギまたは本質的な特徴を識別することを意図したものではなく、クレームされた主題の範囲を補うために使用されることも意図していない。
【発明の概要】
【課題を解決するための手段】
【０００６】
一つの様態では、本発明の一つまたはそれ以上の実施形態は、洗浄と動物の衛生の維持のための動物洗浄ツールに関連する。一つまたはそれ以上の実施形態では、動物の衛生を維持するための動物洗浄ツールは、上部ケース部分と下部プレート表面を含むことができる。ブラッシングエレメント40のセットは、下部のプレート表面を含み、ブラッシングエレメント40のセットは離間して底プレートから外向きに突出する。さらに、一つまたはそれ以上の実施形態では、動物洗浄ツールの上部ケース部分には空気供給導管、動物洗浄ツールの上部ケース部分の内装内に施される洗浄剤供給導管が含まれ、それによって空気供給導管は空気を供給し、洗浄剤供給導管は洗浄剤を供給するように設計されている。
【０００７】
他の様態では、動物洗浄システムが本発明内に提供されている。一つまたはそれ以上の実施形態では、ここに記述されたシステムは、流体供給ユニット、少なくとも一つの供給ホース、動物洗浄ツールを含むことができる。一つまたはそれ以上の実施形態では、少なくとも一つの供給ホースは、流体供給ユニットを動物洗浄ツールに接続するように設計されることができる。動物洗浄ツールは上面および底面のある上部ケース部分と少なくとも一つのインレットを有していることができる。動物洗浄ツールの上部ケース部分には、さらに空気供給導管、洗浄剤供給導管を収める内腔（内部空洞）があり、それによって空気供給導管と洗浄剤供給導管は空気供給源と洗浄剤供給源と流体連通することができる。一つまたはそれ以上の実施形態により、空気供給源は空気量を提供し、洗浄剤供給源は洗浄剤の供給のために設定されることができる。動物洗浄ツールはさらに底プレートを有し、底プレートは上部ケース部分の底面と接することができる。一つまたはそれ以上の実施形態では、底プレートはブラッシングエレメント40のセットを含み、ブラッシングエレメント40のセットは離れて底プレートから外向きに突出しており、動物の表面をブラッシングするように設計されていることができる。底プレートにはさらに、いくつかの実施形態では、底プレートに出される排気口のセットがあり、排気口のセットは上部ケース部分に出される空気供給導管と流体連結する。さらに、動物洗浄ツールは底プレートに取り付けられるように設計された流体リリースキャップを含み、流体リリースキャップはノズルと空気キャップ穴のセットの端にフィットするようなアパーチャを有し、空気キャップ穴のセットは一般的にはノズルの端にフィットするようにアパーチャの周りに出されることができる。流体リリースキャップは動物の表面に洗浄剤の噴霧スプレーを噴出するようになっていることができる。
【０００８】
他の様態での動物洗浄ツールを用いる典型的な方法が本発明の中に提供されている。一つまたはそれ以上の実施形態では、動物洗浄ツールを用いる方法は、流体供給ユニット内の空気源を活性化するユーザー入力を受信する、動物洗浄ツールのプレートに出ているまたは接続している空気口のセットから空気を送る、動物洗浄ツールのプレート表面に出ているまたは接続している空気口のセットから動物の表面に空気を送ることができる。方法はさらに、動物洗浄ツールのプレート表面に出ているまたは接続している少なくとも一つの開口からの洗浄剤のリリースを活性化するユーザー入力の受信、洗浄剤のリリースの活性化、動物の表面への粒子の噴霧スプレーとして洗浄剤の噴霧を含むことができる。
【０００９】
他の様態およびクレームされた主題の利点は以下の解説および付属のクレームから明らかとなる。
【図面の簡単な説明】
【００１０】
【図１】図1は本発明の実施形態による、動物洗浄ツール、空気供給源のある流体供給ユニット、洗浄剤供給源のブロック図である。
【図２】図2は本発明の実施形態による、動物洗浄ツールと流体供給ユニットの絵のイラストである。
【図３】図3は本発明の実施形態による、流体リリースキャップの絵のイラストを示す。
【図４】図4は本発明の実施形態による、動物洗浄ツールの透視図を示す。
【図５】図5は本発明の実施形態による、動物洗浄ツールの内腔断面図を示す。
【図６】図6は図5のセクションライン1-1に沿って切った動物洗浄ツールの上部部分の内装の部分断面図を示す。
【図７】図7は本発明の実施形態による、サポート面に取り付けられた非可搬式流体供給ユニットの絵のイラストを示す。
【図８】図8は本発明の実施形態による、上部ケース部分と底プレートを持つ動物洗浄ツールの絵のイラストを示す。
【図９】図9は本発明の実施形態による、図8の動物洗浄ツールの底からの透視図のイラストを示す。
【図１０】図10は本発明の実施形態による、動物洗浄ツールの別の実施形態の上部ケース部分の内部の絵のイラストを示す。
【図１１】図11は図10の動物洗浄ツールの上部ケース部分へのインサートの絵のイラストを示す。
【図１２】図12は本発明の実施形態による、図10の動物洗浄ツールの上部ケース部分の絵のイラストを示す。
【図１３】図13は本発明の実施形態による、別の動物洗浄ツールのブロック図を示す。
【図１４】図14は本発明の実施形態による、図13の動物洗浄ツールの絵のイラストを示す。
【図１５】図15は本発明の実施形態による、動物洗浄ツールの使用のためのプロセスのフローチャートである。
【発明を実施するための形態】
【００１１】
本発明の実施形態は、以下の図解の参照と共に解説される。一つの様態では、ここに開示される実施形態は動物の衛生を維持するための一つまたはそれ以上の装置、システムおよび方法に関連する。
【００１２】
家庭で飼われるペットや他の動物の洗浄に使われている従来の方法やデバイスはイライラする。犬や猫のような普通の家庭で飼われるペットを含む動物の洗浄や衛生の維持のプロセスは、動物を洗浄する責任のある飼い主や動物ケアの専門家が取り組みを恐れる雑用であると広く考えられている。
【００１３】
定期的に水を浴びることから守る油性の皮をペットは持っていることができる。さらに、大量の水やせっけん、入浴や洗浄目的に適した動物の体位を伴う取り扱いのためにペットや他の動物は普通入浴のプロセスを好まない。さらに、動物を入浴させ、洗浄するには通常長い時間がかかる。さらに、動物を入浴させ、洗浄するのに必要な時間は長く、とても時間がかかる。特に、動物を入浴させ、洗浄するのに必要な時間は少なくとも20から30分かかり、しばしばすべての洗浄用品(例として、水、タオル、バケツ、ブラシ、せっけん/シャンプー)をそろえるのに必要な準備も考慮するとさらに時間がかかる。例えばペットのような動物を長い時間じっとさせておくことはチャレンジである。さらに、動物は普通きれいにされる前は濡れて、そして/または汚れていて、家の中、および/または浴室、家事室、キッチンまたはよくペットを洗う他の部屋の家具に汚れがしばしば残る。あるいは、入浴や洗浄の最中、特定の場所または屋外のエリア、例えば庭またはポーチに飼い主は動物を閉じ込めなければならない。これらのことや動物が入浴のプロセスを楽しめないことを含む、動物を手で洗ったり入浴させたりすることの他の数々の欠点のために、ペットの洗浄がまれになることはよくある。例えば、飼い主は自分のペットを月に一回または2週間に一回しか入浴やちゃんとした洗浄をしないことができる。洗浄のプロセス全体が飼い主にとって大変で面倒なので、ペットが毎日または毎週洗浄されることはまれである。自分が飼っている動物の入浴や洗浄の代わりとして、飼い主はペットのグルーミングサロンまたはケア施設にペットを連れていくことができる。しかし、施設はとても高価でお金がかかり、飼い主がペットサロンに自身の車両で汚れた動物を連れていく必要があるといった追加の欠点がある。
【００１４】
上記の説明のように、動物の洗浄の従来の方法は、たいてい、楽しくない仕事と思われる肉体的に大変な仕事である。さらに、ペットを洗浄する従来のプロセスは、最初に飼い主が、動物の表面にせっけんまたは洗浄用の製品をつけるが、これは楽しいことではない。なぜなら、飼い主が自身の手でせっけんをつけ、汚れていたり触りたくなかったりする様々な部分を触らなければならないからである。
【００１５】
さらに、動物の入浴や洗浄の従来の方法は、付随のデバイスやツールと同様に、入浴のプロセス中大量の水を使う。一般的に、家庭で飼われるペットを含む動物を洗うために、動物は大きな入れ物または水に入れらるか、または大量の水をかけられる。一般的に行われているように動物の表面に大量の水をかけて、効果的に動物を洗浄し臭いを減らすことへの悪作用が本発明によって発見された。動物の表皮、毛、毛皮に残る大量の水は停滞し、しっかりとした洗浄や入浴が必要となる細菌またはダニやノミの付着と同様に悪臭の元となるかもしれないことも、見出された。一つまたはそれ以上の実施形態によって、動物の表面に残り、停滞して、悪臭の元となるかもしれない水の量を減らすのと同様に、動物に使われる洗浄剤の水の量も減らすために有益となるかもしれないことが、本発明で見いだされ、開示されている。
【００１６】
さらに、大量の洗浄剤や水をかけた後には動物を乾かすことが望まれますが、タオルを使用した従来の乾燥法は、飼い主が動物の濡れた部分を含む動物全体に触らなければならず、しっかりと乾かすために何枚ものタオルが必要である。あるいは、洗浄/乾燥の場所を制限するといった余計な問題が飼い主に生じる電気の乾燥デバイスを別に用意する必要がある。
【００１７】
本発明の一つまたはそれ以上の実施形態は、さらに動物にとって効果的であるムーズな洗浄体験の提供と同様に、ペットを含む動物の洗浄や衛生維持の新たな方法を提供することができる。さらに、ここに開示された動物洗浄ツールの表面に実施形態は、比較的短時間(例として、5から10分) で、飼い主や世話をする人が効果的に動物を洗浄および乾燥することが可能な改善された洗浄、グルーミングツールを提供することができる。さらに、ここに開示された動物洗浄ツールまたはデバイスの一つまたはそれ以上の実施形態は、しっかりとした洗浄を行う一方で、動物の表面または毛皮にかける水の使用を最小限にすることができる。動物の表面にかける水の量を最小限にすることによって、入浴や洗浄後の動物特有の好ましくない臭いを大幅に減らす。本発明の一つまたはそれ以上の実施形態のさらなる利益や利点のいくつかは、さらに下記に述べられている。
【００１８】
上記に述べられた一つまたはそれ以上の実施形態の詳細は、添付の図解に示されている例を参照できる。図解を通じて、エレメントのように指定するために、参照文字のようなものが使用されている。ここに使用されているように、「対になる」または「対になっている」という用語は、接続（取り付け）を意味することができる。接続は、一つまたはそれ以上のアイテム間の直接または間接的な接続ことができる。さらに、ここで使用される「セット」という用語は、一つまたはそれ以上のアイテムを意味することができる。以下の詳細な説明では、ここに記される一つまたはそれ以上の実施形態のより完全な理解を提供するために多数の具体的な詳細が述べられている。しかし、当業者には、本発明がこれらの特定の詳細なしで実施され得ることは明らかである。他の例では、説明を不必要に複雑にすることを避けるために、周知の特徴は詳細には説明されていない。
【００１９】
図1と図2を参照。図1は本発明の一つまたはそれ以上の実施形態での、空気供給源と洗浄剤供給源を持つ動物洗浄ツールと流体供給ユニットのブロック図を示し、図2は図1に示されたブロック図の中の一つまたはそれ以上のコンポーネントの典型的な絵のイラストを示す。図3から12は、図1のブロック図に示され、下記に述べられた一つまたはそれ以上の典型的なコンポーネントをさらに含んでいることを注記する。
【００２０】
一つまたはそれ以上の実施形態では、図1に示された洗浄ツール20は、動物10のような動物を洗浄、ブラシッシング、乾燥するためのツールまたはデバイスことができる。洗浄ツール20は、「動物洗浄ツール」または「動物洗浄デバイス」として本説明で相互的に参照されることができる。一つまたはそれ以上の実施形態では、動物洗浄ツール20のような動物洗浄ツールは、図1と図2の底プレート64のような底プレートと同様に上部ケース部分38のような上部ケース部分を含んでいる。さらに、動物10は、ここでのものに限定されず、あらゆるタイプの動物であることができる。一つまたはそれ以上の実施形態では、動物10は、犬や猫のようなよく知られている家庭で飼われるペットを含む、家庭で飼われるペットのあらゆるタイプにも特に適合する。さらに、一つまたはそれ以上の実施形態において、洗浄ツール20はペットや他の家畜以外の動物に加え人間の洗浄や衛生維持にもまた使用されることは、当業者なら理解可能である。
【００２１】
一つまたはそれ以上の実施形態では、ユーザー42は、動物の飼い主および/または動物の世話する人を含むが、その限りではない。一つまたはそれ以上の実施形態では、ユーザー42は、動物洗浄者、動物病院またはその他の動物クリニックや施設のスタッフ/従業員のような、動物10を世話する、または、に接する専門的に雇用された人を含むことができる。動物洗浄ツール20は、住居、店舗、サロンまたはその他の洗浄施設、ホテル、公園、キャンプ場などに限定されず、室内または屋外に設置されることができる。
【００２２】
一つまたはそれ以上の実施形態では、洗浄ツール20は上部ケース部分38を有していることができる。一つまたはそれ以上の実施形態では、上部ケース部分38は例えば図10と図12と同様に図2から図9に示されているように、目的のためにのみ上部ケース部分38のような実質的に細長い本体であることができる。一つまたはそれ以上の実施形態では、洗浄ツール20は洗浄ツール20がとる形の図例に限らず、実質的に楕円形または長方形であることができる。洗浄ツール20が円、楕円、長方形または当業者に周知の形の組み合わせを含んだあらゆる形でありうることは、当業者には理解可能である。さらに、上部ケース部分は、一つまたはそれ以上の実施形態では、ユーザーが掴むための降下したハンドル部分を持つＬ型であることができる。
【００２３】
一つまたはそれ以上の実施形態では、上部ケース部分38は側壁の対 (例として、図4と図8から9に示されている側壁対74) を含むことができ、その側面に沿って中央に向かって湾曲 (例として、内側および/または外側に) していることができる。側壁の対は、いわゆるコンピュータまたはその他の電子デバイスを操作する際に使用されるマウスの形に類似した湾曲した形をとることができる。一つまたはそれ以上の実施形態では、上部ケース部分38の側壁(例として、図4と図8から9の側壁74) のこの湾曲した形は、ユーザー42のようなユーザーが洗浄ツール20の上面や側面をより握りやすくしていることができる。さらに、一つまたはそれ以上の実施形態では、ユーザー42のようなユーザーに優しい湾曲した形は、動物洗浄ツール20を使ったり手に持ったりする際にけがをさせたり、傷つけたりしない。
【００２４】
一つまたはそれ以上の実施形態では、動物洗浄ツール20の上面 (例として、図4の上面72) はユーザー42の手のひらに収まり、動物10の外表面の洗浄やブラッシングに使用されることができる。一つまたはそれ以上の実施形態では、上部ケース部分38と底プレート64を持つ洗浄ツール20は、ポータブルで一つの場所から他の場所へ持ち運び可能とすることができる。さらに、一つまたはそれ以上の実施形態では、洗浄ツール20はユーザー42のようなユーザーの手にフィットするようにコンパクトであることができる。一つまたはそれ以上の実施形態では、洗浄ツール20は比較的軽量である。本発明の実施形態によると、洗浄ツール20は動物10の体上で操作されるのに特に適する。動物洗浄ツール20は合材を含む当業者に周知のあらゆる素材からできており、あらゆる素材からなる剛性部分を含むことができる。さらに、動物洗浄ツール20は当業者に周知の弾性素材でできた弾性で柔軟な部分(例として、弾性プラスチックまたはゴムでできている) を含むことができる。
【００２５】
一つまたはそれ以上の実施形態では、洗浄ツール20は流体供給ユニット34のような流体供給ユニットと対になっていることができる。一つまたはそれ以上の実施形態では、流体供給ユニット34は、下記にさらに述べられている洗浄剤50を溜めている洗浄剤リザーバー32と同様に空気供給源56のような空気供給源を含むことができる。さらに、供給ホース26のような供給ホースは流体供給ユニット34の一つの端と対になり、動物洗浄ツール20のインレット(例として、インレット24)に他の端で接続されていることができる。一つまたはそれ以上の実施形態では、供給ホース26は実質的にエア（空気）65のような置換空気や洗浄剤50のような洗浄剤に適合した、流体供給ユニット34から動物洗浄ツール20への管状のホースであることができる。
【００２６】
供給ホース26はここでは限定されずあらゆる長さであることができる。供給ホース26が周知のあらゆる素材から作られるかもしれないことは、当業者には理解可能である。一つまたはそれ以上の実施形態では、供給ホース26は、柔軟で弾性のある特徴を持つ素材から成り、動物洗浄ツール20使用時に動きや機動性の大きな幅をユーザーにとって有利に供給する、長さを調整できるように設計されていることができる。供給ホース26は透明であっても不透明であってもよく、希望に応じてあらゆる色や形になり得る。供給ホース26はどちらかの端に一つまたはそれ以上のコネクターおよび/またはアダプターを含むことができる。一つまたはそれ以上の実施形態では、供給ホース26のどちらかの端にあるコネクターまたはアダプターは、（上部ケース部分38または底プレート64のいずれかを持つ）動物洗浄ツール20または流体供給ユニット34のいずれかの設計された接続ポイントに適合し、接続する。
【００２７】
上記のように、一つまたはそれ以上の実施形態では、流体供給ユニット34は空気源として働き、そして/または操作されるように設計されていることができる。一つまたはそれ以上の実施形態では、流体供給ユニット34は空気供給源56のような空気供給源として含まれ、または設計されていることができる。一つまたはそれ以上の実施形態では、エア（空気）65は、（供給ホース26を介して）流体供給ユニット34によって動物洗浄ツール20に供給されることができる。以下にさらに述べられるように、エア（空気）65が動物洗浄ツール20に流れ、動物洗浄ツール20の設定された場所(例として、図4と図8に示された底プレート64および/または排気口66のセット) から動物10の毛や皮膚の上にあたるために、エア（空気）65は動物洗浄ツール20に供給されることができる。さらに、流体供給ユニット34は動物洗浄ツール20に空気(例として、エア（空気）65) を供給するように設定されていることができる。
【００２８】
流体供給ユニット34によって供給されるエア（空気）65は、動物10が濡れているときなどに動物10を乾かすことを含むが、その限りではない、多くのアプリケーション（用途）に使用されることができる。さらに、流体供給ユニット34によって(例として、空気供給源65を介して)供給されるエア（空気）65は、動物10の表面から、水、汚れ、毛または（飾り用動物10の）毛皮のような、（その限りではない）余計なまたは望まないものや余分な洗浄剤(例として、洗浄剤50)を取り除くため、動物10の表面にエア（空気）65をあてるために使用されることができる。さらに、エア（空気）65は、動物10についているかもしれないダニやノミを吹き飛ばす、および/または取り除くのを助ける動物洗浄ツール20を使用して動物10に吹きかけられることができる。上記に加え、エア（空気）65のその他の用途例としては、動物洗浄ツール20から放出される際に冷やされ、または温められ、動物10の表面に冷風または温風を提供することができる。下記にさらに述べられているように、一つまたはそれ以上の実施形態では、エア（空気）65は動物洗浄ツール20に送られ、動物10の表面に小さいまたは細かい粒子のスプレーとして洗浄剤50が供給されるところであるスプレー104の噴霧に使用されることができる。
【００２９】
流体供給ユニット34は、一つまたはそれ以上の実施形態では、適合または望まれる psi （平方インチあたりのポンド）の空気を生成する空気供給源を含むことができる。一つまたはそれ以上の実施形態では、エア（空気）65が流体供給ユニット34からリリースされ、必要とされる圧力幅で放出されるところの圧力を測定する圧力計が流体供給ユニット34の上に配置されていることができる。
【００３０】
さらに、流体供給ユニット34は流体供給ユニット34から動物洗浄ツール20に空気を循環させ送るために多くの電気機械部品を含み、さらに流体供給ユニット34の一つまたはそれ以上の部品間に電気接続を供給するワイヤを含むことができる。一つまたはそれ以上の実施形態では、流体供給ユニット34は、その限りではないが、送風機、扇風機、エアコンプレッサ、またはこれらの組み合わせを含む、または、として設計されていることができる。流体供給ユニット34はあらゆるサイズや適した寸法で設計され、あらゆる量の空気を保持するように設計されていることができる。一つまたはそれ以上の実施形態では、流体供給ユニット34は空気を蓄えるタンク、例えば目的によって1.5ガロンタンク、を有していることができる。大小の大きさのタンクが流体供給ユニット34に含まれることは当業者には理解可能である。
【００３１】
周知のように、扇風機や送風機は空気を循環させるために使用される電気機械装置である。一般的に、扇風機が全体、より一般化されたエリアに空気の流れを循環させる一方、送風機は特定のエリアまたは場所に空気を循環、回す電気機械装置として知られていることができる。流体供給ユニット34は一つまたはそれ以上の実施形態で遠心送風機または容積送風機として設計されていることができる。その他のタイプの送風機が流体供給ユニット34の組み立てまたは設計に、その限りではないが、使用されていることができる。
【００３２】
一つまたはそれ以上の限定されない実施形態では、流体供給ユニット34は空気を送るための一つまたはそれ以上の扇風機を含むことができる。扇風機は空気のような流体の中に流れを作るために使用される機械であることができる。一つまたはそれ以上の実施形態で流体供給ユニット34内の扇風機のような扇風機は、回転して空気に作用するベーンまたはブレードを有し、一つまたはそれ以上のインペラーまたはローターを有していることができる。流体供給ユニット34のインペラーは気流を定め、低圧で空気を生成するのに役立つことができる。
【００３３】
一つまたはそれ以上の実施形態で流体供給ユニット34に含まれる扇風機は、一つまたはそれ以上の電子モーターによって駆動されることができる。あるいは、油圧モーターを含むがその限りではない、当該技術分野で知られている他のタイプのモーターが使用されることができる。さらに、空気供給源として流体供給ユニット34内に含まれる扇風機は、軸流ファン、遠心ファンまたはクロスフローファンであることができるが、その限りではない。流体供給ユニット34はさまざまな大きさ、効率、気流を持つ空気供給源を含むことができる。
【００３４】
一つまたはそれ以上の実施形態では、流体供給ユニット34はエア（空気）65のための空気タンク67を含むことができる。エア（空気）65は一つまたはそれ以上の吸気口および/またはフィルターのような、しかし限定されない一つまたはそれ以上のインレットポイントに流されることができる。さらに、一つまたはそれ以上の実施形態では、流体供給ユニット34は動物洗浄ツール20に圧縮されたエア（空気）65を供給するためのエアコンプレッサである、または、として設計されていることができる。当該技術分野で知られているようにエアコンプレッサは空気を圧縮する機械である。さらに、同様に一つまたはそれ以上の扇風機または送風機をエアコンプレッサは組み込む、または用いることができる。エアコンプレッサはコンプレッポンプの吸い口に空気を取り込み、機械的方法を使用して、当該技術分野で知られているように(例として、ピストン、スクリュー、回転羽根)、その空気を小さいエリアに押す。小さいエリア(例として、流体供給ユニット34に配置されている空気タンク(例として、空気タンク67))に空気がどんどん押し入れられると、圧力は最大空気圧になるまで空気タンク67内で高まり続ける。空気タンク67内の空気レベルが使用するのに最小レベルまで下がると、必要に応じて、エアコンプレッサは空気を取り込み圧縮するように設計されていることができる。
【００３５】
一つまたはそれ以上の実施形態では、流体供給ユニット34は、流体供給ユニット34内に配置されている空気タンク (例として、空気タンク67) に空気を取り込み、圧縮するエアコンプレッサを持つ、または、として機能するように設計されていることができる。流体供給ユニット34が作動すると動物洗浄ツールに圧縮された空気を供給する一つまたはそれ以上の導管(例として、供給ホース26内の空気供給導管52) に圧縮された空気が送られることができる。
【００３６】
エア（空気）65は圧縮空気または非圧縮空気として蓄えられることができる。流体供給ユニット34内に配置された空気タンクはあらゆる量の空気も蓄えるためにあらゆるサイズになり得る。一つまたはそれ以上の実施形態では、流体供給ユニット34は少なくとも20ガロンの空気を蓄える空気タンクを有していることができる。
【００３７】
さらに、流体供給ユニット34は、流体供給ユニット34内に含まれている一つまたはそれ以上のモーターに動力を供給するためにパワーサプライ36を含むことができる。流体供給ユニット34は、電源から供給される(例として、図2に示されている電源コードを通って供給される) 電力によって駆動されることができる。他の実施形態では、流体供給ユニット34は当該技術分野で周知されているように流体供給ユニット34内に含まれる充電式または非充電式バッテリー、ガソリンまたはその他のタイプの油を含むがその限りではない、動力源によって駆動されることができる。太陽光発電セルもまた、一つまたはそれ以上の実施形態で流体供給ユニット34内に含まれることができる。さらに、一つまたはそれ以上の実施形態で、流体供給ユニット34が車両のバッテリーによって駆動されるために、自動車のような車両のシガレットライターに差し込むように設計された付属品または差し込みを流体供給ユニット34は有していることができる。流体供給ユニット34を駆動させるために多くの方法が使用できることは、当業者には理解可能である。
【００３８】
流体供給ユニット34はケース46を有していることができる。流体ユニットケース46は外側の構造または流体供給ユニット34の内側のコンポーネントを収め守る収納であることができる。流体供給ユニット34の内側のコンポーネントはモーター、インペラー、ポンプ、バルブ、導管またはタンクを含む電気的および/または非電気的コンポーネントであることができる。
【００３９】
流体供給ユニット34から供給される気流を制御するため、気流調整器30のような調整器が流体供給ユニット34に含まれることができる。調整器30は流体供給ユニット34によって供給される空気量の増減を含むエア（空気）65の気流に関わる圧力を制御するように設計されていることができる。さらに、いくつかの実施形態では、調整器30は流体供給ユニット34によって供給される空気の速度、圧力設定、および/または温度を制御するように設計されていることができる。つまり、いくつかの実施形態では、流体供給ユニット34は温風または冷風を圧縮し、動物洗浄ツール20に送るように設定されることができる。いくつかの実施形態では、流体供給ユニット34はさらに供給ホース26および/または洗浄剤供給導管54に入れられる洗浄剤50の流れを制御するために洗浄剤調整器31を含むことができる。
【００４０】
一つまたはそれ以上の実施形態では、調整器30はダイアルボタン、ノブ、トリガーまたは当該技術分野で知られている他のセレクタを含む、あらゆるタイプのセレクタであることができる。調整器30は流体供給ユニット34からの気流速度および/または圧力を増減するように設計されていることができる。一つまたはそれ以上の実施形態では、調整器30は流体供給ユニットケース46の外側表面に出ていることができる。あるいは、調整器30は洗浄ツール20上にあり、また一つまたはそれ以上の調整器が流体供給ユニット34と洗浄ツール20の両方に配置されていることができる。
【００４１】
一つまたはそれ以上の実施形態では、流体供給ユニット34が例えば一つの場所から他の場所に移動でき、支持構造に固定されていない持ち運び可能ユニットとして使用できることも本発明に包含されている。一つまたはそれ以上の実施形態では、流体供給ユニット34は流体供給ユニットベース48のようなベースを含むことができる。流体供給ユニット34が床表面、地面、家具の上またはその他のタイプの表面のような低い表面を含む支持表面上に置かれる際、流体供給ユニットベース48は、流体供給ユニット34を置く表面またはベースとなり得ることができる。有理なことに一つまたはそれ以上の実施形態での流体供給ユニット34の持ち運び性は、ユーザー42にとって便利なところにどこへでも流体供給ユニット34を移動できる可能性がある。さらに、動物の飼い主は家や裏庭の決められたエリアにしばられず、公園やプレーエリアなど動物が汚れたあとにその場で動物を洗浄するのに流体供給ユニット34をむしろ使用することができる。一つまたはそれ以上の実施形態では、流体供給ユニット34の移動や機動性をアシストするために車輪が流体供給ユニットベース48に取り付けられていることができる。
【００４２】
さらに一つまたはそれ以上の実施形態では、流体供給ユニット34が持ち運び可能であり、流体供給ユニット34を一つの場所から他の場所に持ち運ぶのに便利なハンドルアッセンブリ44が流体供給ユニット34には含まれることができる。典型的な実施形態では、図2に示したように、ハンドルアッセンブリ44は流体供給ユニットケース46の上外側表面に出ていることができる。ハンドルアッセンブリ44が流体供給ユニット34のどこかに出ていて、当該技術分野で知られているあらゆるタイプのハンドルアッセンブリのような形をしていることは、やはり当業者には理解可能である。
【００４３】
一つまたはそれ以上の実施形態では、流体供給ユニット34は (例として、図7と以下に示されるように) 持ち運び可能ではないことができる。さらに、一つまたはそれ以上の実施形態では、流体供給ユニットは、ポール、柱または壁のような水平または垂直な構造を含む支持構造に固定または取り付けられていることができる。あるいは、一つまたはそれ以上の実施形態では、流体供給ユニット34が持ち運び可能ではないために、地面や一つまたはそれ以上の追加の水平構造のような水平支持構造に固定されていることができる。さらに一つまたはそれ以上の実施形態では、もし含まれていれば、流体供給ユニットベース48は水平または垂直な定められた支持構造を含む他の表面または構造に永久的に固定されていることができる。
【００４４】
流体供給ユニット34は当該技術分野で知られているあらゆるタイプの素材から構成されていることができる。流体供給ユニット34の内側のコンポーネント一つまたはそれ以上の金属(例として、ステンレス鋼、アルミニウム、鉄またはこれらの組み合わせまたは他のタイプの金属) でできていることは利点である一方で、流体供給ユニット34を軽量化するために、流体供給ユニット34のケース46がプラスチックおよび/またはポリマーでできていることがいくつかの実施形態では好まれることがある。それでも流体供給ユニット34の外側ケースおよび/または内側構造やコンポーネントを形成するために使用される素材は本発明の特定の素材に限定されない。さらに、流体供給ユニット34はあらゆる形または大きさになり得る。
【００４５】
一つまたはそれ以上の実施形態では、流体供給ユニット34は洗浄剤リザーバー32を有していることができる。洗浄剤リザーバー32は洗浄剤50を蓄えるように設計された容器または貯蔵容器であることができる。一つまたはそれ以上の実施形態では、洗浄剤リザーバー32は流体供給ユニット34内に配置された、または形成された容器ことができる。あるいは、一つまたはそれ以上の実施形態では、洗浄剤リザーバー32は流体供給ユニット34のケース46と対になっている容器ことができる。一つまたはそれ以上の実施形態では、洗浄剤リザーバー32は取り外し可能とすることができる。
【００４６】
図2に示されたように、洗浄剤リザーバー32は流体供給ユニットケース46の外側表面に出ていることができる。他の実施形態では、洗浄剤リザーバー32は流体供給ユニット34の内側にあることができる。洗浄剤50は動物洗浄ツール20への供給のために洗浄剤リザーバー32の中に供給、蓄えられることができる。一つまたはそれ以上の実施形態では、洗浄剤リザーバー32はその中に洗浄剤50を蓄えるためあらゆるタイプのふた又はカバーを含むことができる。
【００４７】
あるいは、他の実施形態では、洗浄剤リザーバー32のような洗浄剤リザーバーは流体供給ユニット34内の代わりに、動物洗浄ツール20のある部分に入れられていることができる。例えば、一つまたはそれ以上の実施形態では、洗浄剤リザーバー32は動物洗浄ツール20の上部ケース部分38に配置され、動物洗浄ツール20の上部ケース部分38から出るように活性化されることができる。つまり、このような実施形態では、洗浄剤リザーバー32は注がれ、動物洗浄ツール20の上部ケース部分38内の決められた貯蔵場所内に配置され、洗浄剤50は洗浄剤供給導管62および/またはノズルディスペンド10端108を含む上部ケース部分38の一つまたはそれ以上の供給ポイントに出されることができる。
【００４８】
一つまたはそれ以上の実施形態では、洗浄剤50はせっけん、シャンプー、洗剤またはその他のタイプのクリーナーを含むがその限りではない洗浄剤としてまた記されている。一つまたはそれ以上の実施形態では、洗浄剤50は動物10の表皮、毛、毛皮および/または皮膚に特に適した洗浄特性を持つ溶液ことができる。この記述中に使用されている用語「溶液」は、「組成物」、「製剤」、「混合物」、「エマルジョン」、「溶液」のような用語およびここで互換的に使われている用語すべてを包含することができる。
【００４９】
一つまたはそれ以上の実施形態では、洗浄剤50は液状であることができる。あるいは、他の実施形態では、洗浄剤50は例えば粉末のタイプおよび/またはドライシャンプーを含む非液状であることができる。一つまたはそれ以上の実施形態では、洗浄剤50は洗浄剤リザーバー32内に貯蔵され、および/または当該技術分野で知られているエマルジョン、クリーム、ローション、スプレー、フォームジェルのようなものを含むがその限りではないジェルのような状態で動物洗浄ツール20から出されることができる。
【００５０】
一つまたはそれ以上の実施形態によると、洗浄剤50はシャンプーで、その処方水の中の成分、洗剤、泡増強剤、増粘剤、コンディショニング剤、防腐剤、改質剤および/または特殊添加剤を含むことができる。いくつかの実施形態では、洗浄剤50はさまざまな粒子やイオンを取り除くよう特殊加工された脱イオン水を含むことができる。
【００５１】
一般的にシャンプーは70から80％ほどの高い割合の水でできている。動物10の表面の水を乾かすのに必要な時間を減らし、水が残って好ましくない臭いを生む可能性を減らすために、動物10のような動物の洗浄または入浴時に使用される水の量を最小限にする利点が本発明に記されている。さらに、洗浄剤50に含まれる水の割合を(例として、市販のシャンプーと比較して) 最小限にする、または減らす利点もここに記されている。さらに、本発明の一つまたはそれ以上の実施形態では、洗浄剤50に含まれる水の量が減少していることができる。例えば一つまたはそれ以上の実施形態では、洗浄剤50では水は全体の70%以下になっていることができる。典型的なシステムでは、洗浄剤50に含まれる水の割合は重量による割合（つまり、重量パーセンテージまたは重量％）として定められている。
【００５２】
一つまたはそれ以上の実施形態では、洗浄剤50は約30から40％の水を含んでいることができる。他の実施形態では、洗浄剤50は50から55％の水を含んでいることができる。また他の実施形態では、洗浄剤50は55から65％の水を含んでいることができる。それにもかかわらずまた別の実施形態では、70％以上の水を含む洗浄剤を含むあらゆるタイプの洗浄剤が洗浄剤リザーバー32内に入れられることができる。
【００５３】
上記の成分に加え、一つまたはそれ以上の実施形態では、洗浄剤50は良い香りを出す香水や芳香剤のような他の添加物を含むことができる。あるいは、動物10および/またはユーザー42のアレルギーまたは感度を刺激しないように、洗浄剤50は無香料にすることができる。さらに、一つまたはそれ以上の実施形態では、洗浄剤50はノミ、皮膚の状態や刺激および/または動物10のようなペットや動物の外側表面で問題となるような他の寄生虫の治療のために薬剤が含まれることができる。さらに、動物10の特定のタイプに合うように洗浄剤50の特定のタイプがユーザー42によって特別に選択されることができる。
【００５４】
一つまたはそれ以上の実施形態では、洗浄剤50は流体供給ユニット34から供給され、流体供給ユニット34から供給ホース26を通って動物洗浄ツール20の入口24に流れることができる。一つまたはそれ以上の実施形態では、流体供給ユニット34は洗浄剤リザーバー32からホース26に供給するために洗浄剤50を移動させるためにいくつかのポンプおよび/またはチューブを含むことができる。
【００５５】
本発明の実施形態によると、供給ホース26の一端にある出口で流体供給ユニット34のアウトレット (例として、図2に示されているアウトレット28) に、供給ホース26は取り外しできるように接続されていることができる。さらに、供給ホース26は供給ホース26の他の端で洗浄ツール20の入口(例として、図24に示されているインレット24) に取り外しできるように接続されていることができる。一つまたはそれ以上の実施形態では、洗浄ツール20のインレット24は洗浄ツール20の内腔58、特に上部ケース部分38の内腔58へのエントリーまたはアクセスを供給する穴または空洞を定義する開口であることができる。内側の洗浄目的や一つまたはそれ以上のコンポーネントの管理や修理をするために供給ホース26が取り外せることは便利ことができる。
【００５６】
一つまたはそれ以上の実施形態では、供給ホース26はその両端で流体供給ユニット34のアウトレットと洗浄ツール20のインレット24にねじ式で対になっていることができる。当該技術分野で知られているあらゆるタイプの留め具(例として、ねじ、クリップ、ピン) 、接着剤、溶接またはその他の接続方法や道具を含む方法を使用して、他の実施形態で供給ホース26が接続されていることは当業者には理解可能である。一つまたはそれ以上の実施形態では、供給ホース26の両端は流体供給ユニット34と洗浄ツール20のそれぞれの受け取り部分にスナップオンしていることができる。さらに、一つまたはそれ以上の実施形態では、供給ホース26は流体供給ユニット34のアウトレットにより永久的は方法で接続されていることができる。
【００５７】
一つまたはそれ以上の実施形態では、供給ホース26は空気供給導管52や洗浄剤供給導管54のような少なくとも二つの導管またはパイプを持つように設計されていることができる。さらに、いくつかの実施形態では、供給ホース26は供給ホース26の内腔を通る一つまたはそれ以上の導管を持つ他のケースとして働くことができる。つまり、いくつかの実施形態で供給ホース26は少なくとも二つの導管、例えば52と54を含むことができる。必要に応じて他の実施形態でより多いまたはより少ない導管がホース26内に出ていることも当業者には理解可能である。
【００５８】
一つまたはそれ以上の実施形態では、空気供給導管52のような最初の導管は、流体供給ユニット34内の空気供給源から供給されたエア（空気）65を動物洗浄ツール20に移動させるために使用されることができる。さらに、一つまたはそれ以上の実施形態では、洗浄剤供給導管54のような2番目の導管は洗浄剤リザーバー32のような洗浄剤リザーバーから動物洗浄ツール20に洗浄剤50を送るために使用されることができる。つまり、一つまたはそれ以上の実施形態では、流体供給ユニット34内の空気供給源、例えば空気供給源56によって供給されるエア（空気）65は空気供給導管52と流体連通し、洗浄剤50は洗浄剤供給導管54と流体連通することができる。
【００５９】
動物10の体の上で洗浄ツール20を操作中にユーザー42が複数の導管を操作しないために、供給ホース26が導管52と56を含んでいることは利点であることができる。むしろ一つまたはそれ以上の実施形態では、ホース26は動作を簡単にするために導管52と54を含んでいる。使用中の一つまたはそれ以上の荒れた表面(例として、地面のような) への長期的な接触やこのような表面上を引きずることで起こるダメージから導管52や54の外側表面を供給ホース26が守ることもさらなる利点となることができる。
【００６０】
あるいは、一方の端が洗浄ツール20に洗浄剤50が送られたことを検知し、他方の端が流体供給ユニット34から動物洗浄ツール20にエア（空気）65が送られたことを検知するような端を持つ二元的導管ホースとして、供給ホース26は形成されていることができる。
【００６１】
前述のように、一つまたはそれ以上の実施形態では、動物洗浄ツール20はユーザー42の手のひらに収まるように特に適合された上部ケース部分38を含んでいる。いくつかの実施形態では、洗浄ツール20はさらに内腔58を有していることができる。一つまたはそれ以上の実施形態では、少なくとも二つの導管が内腔58に出ていることができる。例えば空気供給導管60や洗浄剤導管62は(例として、図4と図5に示されている) 洗浄ツール20の内腔58内に配置されていることができる。つまり、洗浄ツール20の空気供給導管60は供給ホース26の導管内に配置され、または、導管として形成されている空気供給導管52と流体連通していることができる。さらに、洗浄剤導管62は供給ホース26の2番目の導管内に配置、またはいくつかの実施形態では、2番目の導管として形成されている洗浄剤導管64と流体連通していることができる。
【００６２】
一つまたはそれ以上の実施形態では、洗浄ツール20は底プレート64を有していることができる。図4と図8は、その限りではないが、底プレート64の絵のイラストを示す。一つの実施形態では、底プレート64は、洗浄ツール20の底表面に取り外し式に対になっていることができる。つまり、底プレート64が洗浄ツール20の上部ケース部分38の底表面に接続していると上部ケース部分38の内腔58はユーザー42には見えないことが可能である(例として、図4に示されているように)。
【００６３】
洗浄ツール20の内側を洗浄でき、同様に必要な修理や管理ができるので、洗浄ツール20の底表面に底プレート64を取り外し式で対にしておくことは利点がある。さらに、あらゆるタイプの添付方法を用いて上部ケース部分38の底表面に底プレート64は付けられていることができる。一つまたはそれ以上の実施形態では、当業者に周知されている、ねじ、ピン、クリップやその他の便利な留め具を含むがその限りではないあらゆる留め具が底プレート64をつけるために使用されることができる。このような留め具(例として、図4に示した留め具71) は、底プレート64の外側および/または内側表面にある一つまたはそれ以上の留め具穴70内に配置され、底プレート64と上部ケース部分38の底表面を取り外し式に接続するのに使用されることができる。
【００６４】
他の実施形態では、底プレート64は取り外し式ではなく、動物洗浄ツール20の上部ケース部分38に永久的に付けられていることができる。このような実施形態では、空気供給導管60や洗浄剤導管62などに流されるエア（空気）65や洗浄剤50のための一つまたはそれ以上の導管を伴う内腔を持つ全体のボディーとして洗浄ツール20は一体的に形成されていることができる。あるいは、底プレート64は上部ケース部分38の底表面にスナップオンや取り付けられるように適合していることができる。つまり、底プレート64はスナップで取り外しできることができる。
【００６５】
一つまたはそれ以上の実施形態では、底プレート64はブラッシングエレメント40のセットや排気口66のセットを含んでいることができる。図4や図8がより鮮明に底プレート64の実施形態のより詳細な（その限りではない）図を提供する。ここで使用されている用語「セット」は一つまたはそれ以上のものを指す。つまり、「セット」は単独のアイテムまたは一つ以上のアイテムを指す。
【００６６】
一つまたはそれ以上の実施形態では、ブラッシングエレメント40のセットは底プレート64の外側表面から突き出ていることができる。本発明で使用されているような用語「ブラッシングエレメント」は、ブラシの外側表面にあり、髪、毛皮などに使用されるブリストルとして互換的に参照されることができる。当業者に周知なように、ブリストルは多くの形となり得る。ブリストルはブラッシング表面から突出した短く堅い毛であることができる。他の実施形態では、ブリストルは金属、プラスチック、ゴムまたは当業者に周知のあらゆるタイプの素材から作られていることができる。一つまたはそれ以上の実施形態では、ブラッシングエレメント40のセットはブラシのブラッシング表面から突き出ている円錐エレメントであることができる。他の実施形態では、ブラッシングエレメント40のセットは底プレート64の外側表面から伸びた球形または円形の突起であることができる。底プレート64の外側表面から突出したブラッシングエレメント40の形状、形、大きさ、素材、タイプは、上記のような限りではない。ブラッシングエレメント40のセットは円形、三角形、長方形またはその用途に適したあらゆる他の形となり得る。さらに、一つまたはそれ以上の実施形態では、底プレート64は回転するように設計されていることができる。あるいは、一つまたはそれ以上の実施形態では、別の回転式ブラシアタッチメント（示されていない）が底プレート64についていることができる。さらに、ブラッシングエレメント40のセットはあらゆるパターンまたは順序で洗浄ツール20の底表面から外側に突き出るように整えられ、動物10の外側表面のブラッシングに適合されていることができる。さらに、ブラッシングエレメント40のセットは同じまたは異なる長さであることができる。
【００６７】
動物のタイプ (例として、属および/または種) により、動物10は皮膚の外側層よりも上に毛や毛皮があることができる。動物10の毛や毛皮の外側表面はまた「表皮」とみなされることができる。一つまたはそれ以上の実施形態によると、本発明の一つまたはそれ以上の方法によって動物10の洗浄や衛生維持のために動物10の表皮の中への洗浄剤50のブラッシングを含む動物10の表皮のブラッシングに使用されることができる。動物10のブラッシングへの使用の後、一つまたはそれ以上の実施形態では、毛、毛皮または残骸がブラッシングエレメント40のセットに残らないように、ブラッシングエレメント40のセットの間に残っている動物10の毛や毛皮は引っ張って、取り除かれることができる。
【００６８】
ブラッシングエレメント40のセットは動物10の外側表面に直接接し、働くように設計されていることができる。さらに、特に動物10が汚く、濡れているようなとき、ユーザー42の動物10との物理的接触および/または広範な身体接触への従事を避けるために、ブラッシングエレメント40のセットが動物10の外側表面に接触するようになっていることができる。
【００６９】
一つまたはそれ以上の実施形態では、底プレート64は排気口66のセットを有していることができる。一つまたはそれ以上の実施形態では、排気口66のセットはエア（空気）65が排出または放出されるアパーチャまたは開口であることができる。その限りではないが、排気口66のセットの説明的な実施形態が図4と図8から9に示されている。排気口66のセットは近くに分かれた小さい穴のセットとして、または遠く離れた穴のセットとして提供されていることができる。典型的にその限りではないが、最初のグループの下に配置された2番目のグループと軸方向に整列したともに近い距離にある5つの開口の最初のグループとして排気口66のセットが整えられており、近い距離に整えられた5つの穴または開口を2番目のグループもまた有している、説明的な実施形態が図4に示されている。その限りではないが、近い距離にある4つの穴のセットとして排気口66のセットが整えられている説明的な実施形態を図8から9が示す。排気口66のセットが底プレート64の外側表面にあらゆるパターンや整列で供給されているかもしれないことも、当業者には理解可能である。排気口66のセットはあらゆる直径および/または大きさであることができる。さらに、いくつもの排気口が底プレート64の外側表面に設けられ、エア（空気）65をリリースするように設計されていることができる。
【００７０】
いくつかの実施形態では、エア（空気）65が流れ通り、排出されるよう設計された底プレート64の上に単一の排気口66が存在するかもしれないことは当業者には理解可能である。例えば、いくつかの実施形態では、あらゆる直径および/または大きさで、エア（空気）65が流れ通れるように底プレート64の上のどこかに配置された単一の排気口66があることができる。
【００７１】
ここで明らかになったように、一つまたはそれ以上の実施形態では、動物10に噴霧されるスプレー104として噴霧される状態で洗浄剤50が出されることは利点であることができる。ここで使用されているように、噴霧とは、粒子または液滴の良質なスプレーとして洗浄剤10を供給するプロセスを指す。用語「粒子」または「液滴」はここでは互換的に使われることができる。噴霧とはバルク液体を液滴に分解するプロセスを指す。噴霧されたスプレー104はまた液滴の集まりとして表現されることができる。
【００７２】
前に述べられたように、ほとんどの従来の洗浄方法や技術は、動物10のような動物の表面に大量のせっけん、シャンプーおよび/または水を注いだり、かけたりしがちである。動物10の表面にかける大量のせっけんや水の量を減らすことと同様に、洗浄プロセスがより効果的になるのは、飼い主の時間を節約する洗浄剤50を液滴の良質なスプレーに噴霧することによることがここで発見された。動物10の表面に粒子の噴霧されたスプレー104をなめらかに、効果的に出すように動物洗浄ツール20は設計されており、噴霧されたスプレー104は大量の時間や余剰の洗浄剤50および/または水を洗い流す苦労を必要とせず、洗浄剤50の洗浄効果を提供する。さらに、洗浄と入浴の行為が、従来のツールや洗浄方法に比べて、動物10にとって好ましいものことができる、なぜなら、動物10は大量の水や洗浄剤につけられることがないからである。
【００７３】
一つまたはそれ以上の実施形態では、動物洗浄20はエアスプレー噴霧を用いて洗浄剤50を噴霧するように設定されている。エアスプレーまたは空気噴霧は液体（例として、洗浄剤50）が適切な低スピードで動物洗浄ツール20にあるノズル（例として、ノズル69）から噴出され、エア（例として、エア（空気）65）の高スピードストリームによって包まれるプロセスである。空気（例として、エア（空気）65）の適切な高スピードストリームは、流体供給ユニット34内に配置されている空気コンプレッサーまたは送風機によって供給されることができる。空気噴霧は一つまたはそれ以上の調整器（例として、気流調整器30）を使用して調整される空気圧を使用する。さらに、ユーザー42はエア（空気）65の流速とは別に洗浄剤50の流速を調整することができる。
【００７４】
空気スプレー噴霧を用いて洗浄剤50を噴霧するために、一つまたはそれ以上の実施形態では、流体リリースキャップ90は動物洗浄ツール20と共に含まれることができる。図3と図4は、流体リリースキャプ90のような流体リリースキャップの例を示す。典型的であるがその限りではなく、図9から12に示されている一つまたはそれ以上の実施形態を含む、動物洗浄ツール20の一つまたはそれ以上の実施形態で使用される、流体リリースキャップ90の絵のイラストを図3は示す。一つまたはそれ以上の実施形態では、底プレートの一端から底プレート64の他の一端に伸びるために、流体リリースキャップ90は底プレート64の開口内にフィットすることができる。  
【００７５】
図3に示されているように、流体リリースキャップ90は空気キャップ穴91のセットを含む本体302を持つキャップであることができる。図3に示されるように、空気キャップ穴91のセットは中央アパーチャ89の周りに周方向に整えられており、エア（空気）65のような空気が通る空気穴または開口が設けられていることができる。中央アパーチャ89または空気キャップ穴91の位置はここでの限りではないことは当業者には理解可能である。一つまたはそれ以上の実施形態では、図3に示された以上または以下の空気キャップ91が使用されることができる。図3や他に示されたように、流体リリースキャップ90は一般的に球形または円柱形をしていることができる。あるいは、流体リリースキャップ90は必要に応じて他の形を取ることができる。
【００７６】
流体リリースキャップ90は底プレート64に取り外し式に取り付けられ、動物洗浄ツール20の上部ケース部分38内の決められた位置に（例としてスレッド304を通って）通されることができる。流体リリースキャップ90がその位置に配置されると、流体リリースキャップ90の外側表面308が動物10の表面に向けられ、底プレート64から外側に向けられることができる。流体リリースキャップ90の底表面306は、上部ケース部分38の内側に向けられ、流体リリースキャップ90専用の適切な大きさの開口にフィットし、適切なサイズの開口が底プレート64内に配置される。
【００７７】
一つまたはそれ以上の実施形態では、流体リリースキャップ90は、上部ケース部分38内の洗浄剤供給導管62と流体連通する一つまたはそれ以上の洗浄剤チューブ86出口と取り外し式に取り付けられることができる。流体リリースキャップ90の取り付けには、留め具、接着剤、および/または溶接がその限りではないが使用されるかもしれないことは当業者に周知である。一つまたはそれ以上の実施形態では、流体リリースキャップ90は上部ケース部分38または底プレート64と一体化していることができる。
【００７８】
一つまたはそれ以上の実施形態では、流体リリースキャップ89は流体リリースキャップ90の外側表面308の中央に位置していることができる。一つまたはそれ以上の実施形態では、ノズル69の端は流体リリースキャップ89まで伸びることができる。一つまたはそれ以上の実施形態では、ノズル69はスプレーの流体の分散を容易にする精密機器であることができる。ノズル69は、周知の単一流体ノズル、プレーンオリフィスノズル、形状オリフィスノズル、表面衝突単一流体ノズル、または、いくつかの典型的なノズルと言われる圧力渦巻スプレーノズルを含むがその限りではないあらゆるタイプのノズルとなり得ることができる。
【００７９】
一つまたはそれ以上の実施形態では、ベース端106またはノズル69の底部分は洗浄剤供給導管62のための端またはリリースポイント (例として、図6に示された洗浄剤チューブ出口86または図10のノズル1004) に固定またはフィットすることができる。ノズル69はあらゆる大きさであることができるが、一つまたはそれ以上の実施形態では、比較的高さが低いことが可能である。ノズル69はどんな大きさの液滴もリリースするように選択されることができる。ノズルは洗浄剤供給導管62の端に取り外し式または固定式に接続されていることができる。
【００８０】
操作中、一つまたはそれ以上の実施形態では、ノズル69のベース端106は洗浄剤導管62の開口端 (例として、図6に示された洗浄剤チューブ出口86の開口端または図10のノズルアパーチャ1004) にフィットし、その一方ノズル69のディスペンス端は液体リリースキャップアパーチャ89を通って伸びることができる。洗浄剤50がノズル69のディスペンス端(例として、図9に示されたノズル69) から放出される際、空気が空気キャップ穴91のセットを通ってリリースされることができる。図3に示したように、エア（空気）65は、流体リリースキャップアパーチャ89(例として、ノズル69が取り付けられた際のノズル69のディスペンション端) の周りに整えられた空気キャップ穴91のセットの一つずつから出されることができる。
【００８１】
さらに、一つまたはそれ以上の実施形態では、流体リリースキャップ90は空気穴体93を含むことができる。図3に示されたように、空気穴体93は、例として、しかしその限りではない実施形態にて、各空気穴93本体の二つの空気キャップ穴91のセットを含む構造体である。空気穴体93は流体リリースキャップ90の外側表面308から垂直方向に外側に突き出ていることができる。操作中、ノズル69が配置され、空気が空気供給導管52や60からリリースされるようになると、エア（空気）65は空気穴体93にある空気キャップ穴91のセットから放出されることができる。つまり、洗浄剤がノズル69のディスペンション端108(例として、図9に示される)から出される際、圧縮された空気が洗浄剤50に向かって流れる。例として粒子または液滴のスプレーとして、噴霧されたスプレー104のように、洗浄剤50を噴霧するための空気穴体93や空気キャップ穴91のセットを含むことが利点となることができる。つまり、動物10のさまざまな部分に洗浄剤50の塊、グロブ、ブロブ、または水たまりとは対照的に粒子または液滴のスプレーとして動物の表面に洗浄剤50が放出されることができる。つまり、動物洗浄ツール20を使用してここで発見された利点は、動物10の洗浄中の液体の減少である。洗浄剤50と空気の組み合わせは、動物10の表面に使う液体を飼い主が制御できるように、少ない液滴と同様の噴霧されたスプレー104の軽くて空気のようなアプリケーションを供給する。言い換えれば、洗浄剤50が動物10の表皮、皮膚、毛または毛皮に放出されても、洗浄剤50が液滴の状態で放出されるので、空気の追加スプレーが洗浄剤50の使用量を減らし、また過剰使用も防ぐことができる。さらに、一つまたはそれ以上の動物洗浄ツール20の使用方法では、噴霧されたスプレー104が放出されるときに飼い主が動物の表面をブラシすることができ、つまり、噴霧されたスプレー104が動物10の表面全体に均一に渡るために動物10の表面に噴霧されたスプレー104を飼い主が素早く、効果的にブラッシングできる。
【００８２】
空気スプレー噴霧を用いた方法は上記で説明したが、エアレス噴霧、遠心噴霧、静電噴霧、超音波噴霧のような、しかしその限りではない、他の噴霧方法や技術もまた使用されることができる。これら上に挙げた方法の簡単な解説を以下に示す。エアレス（または圧力）噴霧は、高圧が比較的小さいノズルを通して流体にかけられる際に起こる。流体(例として、洗浄剤50) は固体のストリームまたは高速でのシートとして出てくることができる。ストリームをフラグメントに、最初と最後に液滴にしながらストリームが分裂されるために、液体と空気の摩擦が起こることができる。
【００８３】
ノズル69のようなノズルが回転キャップまたは円盤（示されていない）の中心で液体 (例として、洗浄剤50) を出す際に、回転噴霧として知られている遠心噴霧は起こることができる。遠心力は液体をディスクの端に運んだり、液体を端から飛ばしたりすることができる。周知の通り、回転噴霧のエネルギー源は遠心力である。一つまたはそれ以上の実施形態では、動物洗浄ツール20は遠心噴霧を起こすためのコンポーネントを含むことができる。
【００８４】
静電噴霧は、荷電された噴霧器と地面のワークピースの間の強い磁場に液体を出す。電気は液体に移り、噴霧器と液体間の反発力は、噴霧器から液滴を引き離し、作業表面に向かって送る。超音波噴霧に関して、超音波噴霧は非常に高頻度に振動する電子機械デバイスに依存する。液体(例として、洗浄剤50) が振動源上に渡され、振動が液体を液滴にする。つまり一つまたはそれ以上の動物洗浄ツール20の実施形態は、噴霧のこれらの他の方法のいずれかが使用されることができる。
【００８５】
活性化メカニズムに関して、一つまたはそれ以上の実施形態では、少なくとも一つまたはそれ以上の活性化メカニズム22が洗浄ツール20に配置されることができる。図2と図8に示したように、一つまたはそれ以上の実施形態では、少なくとも一つの活性化メカニズム22が、洗浄ツール20の外側表面のどこかに表れていることができる。例として、その限りではないが、イラスト化した実施形態図2は上部ケース部分38の外側表面に出ている活性化メカニズム22を示す。活性化メカニズム22は当業者には知られているあらゆるタイプのセレクタとして設計され、ボタン、トリガー、ノブ、トグル、リリース、または洗浄ツール20の一つまたはそれ以上の機能を制御するために使用される周知のあらゆるタイプのセレクタとして設計されていることができる。一つまたはそれ以上の実施形態では、動物10の表面に、洗浄と湿気および/または動物10の表面の汚れの乾燥のために洗浄ツール20からエア（空気）65、洗浄剤20、または両方のリリースを活性化するために、ユーザー42のようなユーザーは活性化メカニズム22を選択することができる。あるいは、一つまたはそれ以上の実施形態では、活性化メカニズム22は流体供給ユニット34から洗浄ツール20への洗浄剤50のリリースを単独で活性化し、分離セレクタ(例として、セレクタ21)がエア（空気）65のリリースを活性化するために流体供給ユニット34上に配置されていることができる。他の実施形態では、動物洗浄ツール20の上に配置されている活性化メカニズム22のような活性化メカニズムはまた流体供給ユニット34の電源を入れたり/切ったりするように設計されていることができる。
【００８６】
当業者には周知の通り、活性化メカニズム22が流体供給ユニット34やパワーサプライ36とシグナル通信を行うために、制御回路ワイヤは、活性化メカニズム22と流体供給ユニット34の間で接続されていることができる。電気ワイヤ（示されていないが当業者には理解可能である）は、また、活性化メカニズム22が活性化機能を行うために、活性化メカニズム22から流体供給ユニット34や流体供給ユニット34の一つまたはそれ以上のコンポーネントに流れることができる。例えば、一つまたはそれ以上の実施形態では、活性化メカニズム22が流体供給ユニット34の電源を入れたり/切ったりするのに使用されたり、活性化メカニズム22が流体供給ユニット34から動物洗浄ツール20や一つまたはそれ以上の導管へ洗浄剤55をリリースしたり、活性化メカニズム22が流体供給ユニット34から一つまたはそれ以上の導管にエア（空気）65をリリースしたりするために、ワイヤは活性化メカニズム22から流体供給ユニット34の（電子コンポーネントを含む）一つまたはそれ以上のコンポーネントへ流れることができる。パワーサプライ源36のようなパワーサプライまたは流体供給ユニット34に接続していないパワー源に接続するために、電子ワイヤはまた動物洗浄ツール20内に含まれることができる。
【００８７】
上記に加え、一つまたはそれ以上の実施形態では、動物洗浄ツール20はユーザーが動物洗浄ツールに関連した一つまたはそれ以上の機能または特徴を選択するためにあらゆるタイプの入力セレクタであるセレクタ21を含むことができる。セレクタ21はあらゆるタイプのボタン、トグル、タッチスクリーン、キーパッド、または当業者に周知の他のセレクタを含むことができる。さらに、流体供給ユニット34は、流体供給ユニット34の一つまたはそれ以上の機能を選択するためにセレクタ21のようなセレクタをいくつも含むことができる。セレクタ21は機械的または電子的メカニズムの両方で操作され得る。当業者には周知の通り、セレクタ21が動物洗浄ツール20または流体供給ユニット34のいずれかの一つまたはそれ以上のコンポーネントとシグナル通信するために、動物洗浄ツール20または流体供給ユニット34上に配置された一つまたはそれ以上のセレクタ21から流れるように電気ワイヤ（示されていない）が使用されることができる。
【００８８】
一つまたはそれ以上の実施形態では、流体供給ユニット34の電源を入れたり、切ったりするため、洗浄剤50をリリースするため、流体供給ユニット34からエア（空気）65を活性化する、そして/またはリリースするために付けられている流体供給ユニット34上にセレクタ21は供給されていることができる。一つまたはそれ以上の実施形態では、流体供給ユニット34が最初に開始されると、エア（空気）65は流体供給ユニット34のアウトレット24から自動的に放出されることができる。あるいは、他の実施形態では、流体供給ユニット34のアウトレット（例として、アウトレット28）からエア（空気）65を分けて活性化させ、リリースするために、ユーザーはセレクタ（例として、セレクタ21）を選択することができる。
【００８９】
図2はその限りではないが、動物洗浄ツール20、供給ホース26、流体供給ユニット34を使用したシステムの絵のイラストを示す。図2に示されたように、一つまたはそれ以上の実施形態では、供給ホース26を介して洗浄ツール20に送られる空気（例として、エア（空気）65）の供給を有する流体供給ユニット34に動物洗浄ツール20は接続されていることができる。図2に示されたように、一つまたはそれ以上の実施形態では、犬や猫のような家庭で飼われるペットであるが、その限りではない、動物10は動物洗浄ツール10や流体供給ユニット34の近くに配置されることができる。
【００９０】
上に述べられているように、流体供給ユニット34から動物洗浄ツール20へエア（空気）65のチャネリング専用の導管（例として、図2には示されていない導管52）を供給ホース26は含むことができる。さらに、洗浄剤50を含む洗浄剤リザーバー32を流体供給ユニット34は含むことができる。上に述べられているように、一つまたはそれ以上の実施形態では、流体供給ユニット34から動物洗浄ツール20に洗浄剤をチャネリングするために導管（例として、図2には示されていない導管54）を含むことができる。
【００９１】
流体供給ユニット34の一つまたはそれ以上の電子コンポーネントに直接電源を供給する電源コードを持つ実施形態では、ユーザーはあらゆる利用可能な電源に電源コードを差し込むことができる。あるいは、流体供給ユニット34が一つまたはそれ以上の（周知のあらゆるタイプの）バッテリーを有するならば、関連する電源ボタンまたはメカニズム、例としてセレクタ21を押すことで流体供給ユニット34は電源が入ることができる。
【００９２】
一つの場所から他の場所への流体供給ユニット34の移動を容易にするため、ハンドルアッセンブリ44のような流体供給ユニット34のハンドルアッセンブリをユーザーは持ったり、握ったりし、望む場所に移動させることができる。流体供給ユニット34は図2では地面に置かれ示されているが、他の実施形態では、流体供給ユニット34はユーザー42にとって都合のよいあらゆる表面上に配置され得る。
【００９３】
流体供給ユニット34の電源が入ると、一つまたはそれ以上の実施形態では、エア（空気）65は空気供給源56からホース26を通って送られることができる。さらに、送風機、扇風機、空気コンプレッサーまたはこれらの組み合わせが流体供給ユニット34内に設置されていると、これらの空気供給デバイスは供給ホース26にエア（空気）65を循環させ、送り始める。さらに特定的に一つまたはそれ以上の実施形態では、流れるエア（空気）65は、供給ホース26内の空気供給導管52へ流体供給ユニット34内の空気供給源56から送られることができる。空気が空気供給導管52を通って流れると、空気は洗浄ツール20の内腔58内に配置されている一つまたはそれ以上の空気供給導管60を通って流れるようになることができる。エア（空気）65はそして洗浄ツール20の底プレート64にある空気開口66のセットから放出されることができる。
【００９４】
洗浄ツール20からの空気のリリースに続いて、エア（空気）65のみが洗浄ツール20から放出されている（例として、動物10の表面に洗浄剤50がリリースされていない）間に、ユーザーは洗浄ツール20を使って動物10の表面をブラッシングすることを選択的に選ぶことができる。さらに、動物10の望む部分に動物洗浄ツール20を置くことで、動物10のあらゆる部分に洗浄ツール20の底プレート64をユーザーは付けることができる。そして、必要であれば動物10の特定のエリアに集中して動物10の表面上や周囲に洗浄ツール20をユーザーは移動させることができる。底プレート64が動物10の表面に接触すると、ブラッシングエレメント40のセットもまた動物10の表面に接触する。さらに、ユーザーは動物10の外側表面のブラッシングをすることができる。同時に、ブラッシング中、エア（空気）65は動物洗浄ツール20から継続的に放出されることができる。あらゆる理由で動物10が濡れていれば、動物10の表面上にエア（空気）65を放出している間、動物10のブラッシング行為は、余分な湿気、液体、汚れ、残骸、ダニ/ノミまたは動物10からの余分な毛の削除または削減に役立つことができる。
【００９５】
さらに、動物10の表面上に洗浄ツール20から洗浄剤50を出すために一つまたはそれ以上のセレクタまたはメカニズム（例として21または22）をユーザーは選択的に活性化することができる。一つまたはそれ以上の実施形態では、ユーザーがメカニズム22の活性化を選択すると流体供給ユニット34上の洗浄剤リザーバー32からチャネリングするために洗浄剤50がトリガーされ、チャネリングツール20に向かって送られることができる。
【００９６】
上記述べられてきたように、一つまたはそれ以上の実施形態では、必要な洗浄剤を供給するために洗浄剤導管54のような洗浄剤導管は洗浄剤リザーバー32および/または流体供給ユニット34と流体連通することができる。さらに、一つまたはそれ以上の実施形態では、洗浄剤導管54は洗浄ツール20の内腔58内に配置されている洗浄剤導管62と流体連通することができる。活性化メカニズム22の選択または働きによって、洗浄ツールの外側表面にある一つまたはそれ以上のアパーチャから、例として流体リリースキャップ90の流体リリースキャップアパーチャ89へ伸びる（例として図9に示されている）ノズル69のディスペンド端から、洗浄剤50が放出され始めることができる。洗浄剤50が洗浄ツール20からリリースされると、動物10のあらゆる部分への洗浄剤を行きわたらすために、ユーザーは動物10の表面上に洗浄ツール20を移動することができる。動物10の表面上に直接洗浄ツール20を置くと、洗浄剤50が動物10のあらゆる部分に付き、動物10の表皮、毛、毛皮に洗浄剤50をブラッシングするブラッシングエレメント40のセットによって動物10の表面がブラッシングされることができる。
【００９７】
一つまたはそれ以上の実施形態では、動物10へのスプレーによって、粒子の良質のスプレー、例として噴霧されたスプレー104として洗浄剤50が放出されるので、動物10の乾燥にユーザーは余計な労力を必要としない。このことは、すぐに蒸発するか動物10の毛、毛皮、皮膚に吸収されるわずかな液滴で、噴霧された洗浄剤50が動物10でブラッシングされることができる。さらに、前に述べられたように、一つまたはそれ以上の実施形態では、洗浄剤50をかけることで、動物10が水に「浸って」しまわないために、洗浄剤50は減らされた、または最小限の水量からできていることができる。つまり、噴霧された液滴として洗浄剤50のアレンジメントや動物10への使用が、洗浄剤（例として、洗浄剤50）をアプライする前または後に洗浄剤の使い方や大量の水を使わない動物10の洗浄方法を提供することは、本発明の側面である。それ以外にも、一つまたはそれ以上の動物洗浄ツール20の実施形態で、洗浄剤50が放出された後（例として噴霧されたスプレー104）動物洗浄ツール20からエア（空気）65がリリースされることが利点である。一つまたはそれ以上の実施形態では、エア（空気）65が流体リリースキャップ90内の排気開口66のセットおよび/または空気穴91からリリースされることができる。洗浄剤50が動物10の上に出された後、ユーザー42が動物10の外側表皮をブラッシングしている間リリースされたエア（空気）65は湿気の乾燥に役立つことができる。
【００９８】
[00112] 本発明の実施形態による動物洗浄ツール20の透視図を図4は示す。図4はその限りではないが、どちらかの側に湾曲した側壁74のある上部ケース部分38を持つ洗浄ツール20のイラスト化した実施形態を示す。いくつかの実施形態では、洗浄ツール20の本体38を握ったり持ったりするのを容易にし、洗浄ツール20の機動性を良くするために、湾曲した側壁74のようなものがあることは利点となり得る。もちろん、側壁74が内側または外側への湾曲を持たないあらゆる形を取るかもしれないことは、当業者には理解可能である。
[00113] さらに、一つまたはそれ以上の実施形態では、洗浄ツール20の底表面73が動物の外側表面に向いているまたはに向けられている一方で、洗浄ツール20の上部表面72はユーザーの手のひらにフィットするようになっていることができる。その他の設計やデザインが洗浄ツール20に用いられることは当業者には理解可能である。
[00114] 図4に示されたように、底プレート64の最初の側98から突き出ているブラッシングエレメント40のセットを含む、前述されたような他の便利なエレメントを洗浄ツール20は含むことができる。さらに、図4に示されたように、排気開口66のセットがあり、底プレート64の前側（例として最初の側98）から底プレート64の反対側（示されていない）に伸びていることができる。互いに距離を取って排気開口66のセットは、一つまたはそれ以上の実施形態では、並べられている。一つまたはそれ以上の実施形態では、排気開口66のセットは、図3や図4に示されたように、洗浄ツール20の縦軸上に並べられていることができる。あるいは、排気開口66のセットは底プレート64の横軸上または横軸と縦軸両方の組み合わせ上に並べられていることができる。
[00115] 図4に示されたように、動物洗浄ツール20の底プレート64の最初の側98（例として外側に向けられた側）に、流体リリースキャップ90は取り付けられていることができる。一つまたはそれ以上の実施形態では、底プレート64は、洗浄ツール20の上部ケース部分38に取り外し式に対になっているようなプレートであることができる。つまり、（周知の留め具を含む）いくつかの留め具71が、洗浄ツール20の上部ケース部分38に底プレート64を取り付けるために使用されることができる。洗浄ツール20の上部ケース部分38や、その限りではないが、図4に示した位置や場所に底プレート64を取り外し式に取り付けるために洗浄ツール20のどこにでも留め具71を配置できることは、当業者には理解可能である。
[00116] 本発明の一つまたはそれ以上の実施形態により、図4の流体リリースキャップ90は、空気キャップ穴91のセット、空気穴体93、流体リリースキャップアパーチャ89（図3に示され上に記しるされた）を含むことができる。一つまたはそれ以上の実施形態では、（図4には示されていない）ノズル69のディスペンド端108は、流体リリースキャップ90の流体リリースキャップアパーチャ89に伸びることができる。
[00117] 図4に示したように、空気供給導管52と洗浄剤導管54は動物洗浄ツール20の内腔（図4には示されていない）と流体連通することができる。さらに、空気供給導管52と洗浄剤導管54は洗浄ツール20のインレット24に伸びることができる。図4には示されていないが、一つまたはそれ以上の実施形態では、図2に示された供給ホース26のような他のホースが、空気供給導管52と洗浄剤供給導管54を囲っていることができる。あるいは、他の実施形態では、空気供給導管52や洗浄剤供給導管54を有し、導管を含む追加のホースのない単一のホースを形成する二元的導管として供給ホース26は形成されていることができる。一つまたはそれ以上の実施形態では、導管52と54の両方の外側境界に沿って取り付けられるために、洗浄剤導管54（図4に示されていない）と共に空気供給導管52は取り付けられていることができる。一つまたはそれ以上の実施形態では、空気供給導管52の直径は洗浄剤供給導管54よりも大きいことができる。図4に示したように、その限りではないが、典型的なイラスト化された実施形態では、洗浄剤供給導管52は、空気供給導管54よりも細いことができる。洗浄剤供給導管52のこの狭い直径は、洗浄剤50が、大きな塊または量で出されるよりも、噴霧されたまたは小さい粒子として動物の表面に出されるために役立つことができる。つまり、洗浄剤供給導管62の狭い直径は、より小さな粒子または液滴として洗浄剤50の制御された放出に貢献することができる。他の実施形態では、空気供給導管52と洗浄剤供給導管54は同じ直径ことができる。さらに他の実施形態では、洗浄剤供給導管54の直径は空気供給導管52よりも大きいことができる。
[00118] 一つまたはそれ以上の実施形態では、空気供給導管52と洗浄剤供給導管54は上部ケース部分38の遠位端にあることができる。上部ケース部分38の遠位端は、いくつかの実施形態では、上部ケース部分38の下方部にあることができる。さらに、いくつかの実施形態では、空気供給導管52と洗浄剤供給導管54は、洗浄ツール20の本体38の上面72から離れて配置されていることができる。このことは、手のひらで上面72を握っているユーザーにとって利点であり、導管（例として52や54）がユーザーの邪魔になったりまとわりついたりすることを避けることができる。
[00119] （図4に示されているように）排気開口66のセットからリリースされる空気が、動物、例えば動物10を落ち着かせ、リラックスさせるのに役立つかもしれないことが記されている。犬や猫のようなペットを含む動物は、入浴させられたり、水、せっけんおよび/またはシャンプーで洗浄されることであるトレスを感じることができる。動物に空気をかけたり、循環させたりする行為は、動物10をリラックスさせるのに貢献し、できるだけ動物10をじっとさせておくのに役立つことができる。さらに、気流を調整できるかもしれないので、動物をじっとさせておくために、動物にかかる空気を低圧で低速にすることができる。  
[00120] 図5と図6に示すように、図5は、本発明の実施形態による洗浄ツールまたはデバイスの部分切取図、図6は、図5のセクションライン1-1に沿って取られた動物洗浄ツールの部分切り取り図を示す。図5に示したように、動物洗浄ツール20の上部ケース部分38は、本発明の一つまたはそれ以上の実施形態によって上部ケース部分38の底表面にそって底プレート64に取り付けられていることができる。さらに、図5と図6に示したように、流体供給ユニット34から伸びた空気供給導管52と洗浄剤供給導管54は、洗浄ツール20の内腔58内に伸びた空気供給導管60と洗浄剤供給導管62と流体連通することができる。つまり、一つまたはそれ以上の実施形態では、空気供給導管60のためのインレットと洗浄剤供給導管62のためのインレットは、空気供給導管52のためのアウトレットと洗浄剤導管54のためのアウトレットとそれぞれ一直線上にあることができる。
[00121] 一つまたはそれ以上の実施形態では、洗浄ツール20のインレット24において、空気供給導管52と洗浄剤供給導管54はそれぞれ動物洗浄ツール20の上部ケース部分内に配置された空気供給導管60と洗浄剤供給導管62に接続していることができる。導管52と導管60の接続や導管54と導管62の接続には、ボルト、ねじ、ピンおよび/またはクリップのようで、それには限定されないあらゆるタイプの留め具を含むあらゆるタイプの接続ツールや方法が周知のように使用されることができる。
[00122] 一つまたはそれ以上の実施形態では、空気供給導管52と洗浄剤導管54が、ユーザーによる動きや操作をより簡単にする比較的伸縮性があり柔軟であるような素材や素材の組み合わせで形成される一方で、空気供給導管60と洗浄剤導管62に使用される素材はより固く、硬質な素材または素材の組み合わせであるかもしれないことが記述される。例えば、空気供給導管60と洗浄剤導管62が内腔58内に配置され、空気供給導管52と洗浄剤導管54よりもより硬質である必要があるので、空気供給導管60と洗浄剤導管62はより硬質で柔軟性の少ない外側および内側表面を有して形成されることができる。空気供給導管60と洗浄剤導管62が当業者には周知のあらゆる素材でできているかもしれないことは、当業者には理解可能である。図4と図5に示したように、一つまたはそれ以上の実施形態では、空気供給導管60と洗浄剤導管62は、上部ケース部分38と一般的に平行になっていることができる。
[00123] 一つまたはそれ以上の実施形態では、動物洗浄ツール20内の空気供給導管60は供給ホース26内で空気供給導管52の一部であり、洗浄剤導管62は供給ホース26内で洗浄剤供給導管5４の一部であることができる。さらに、一つまたはそれ以上の実施形態では、導管はそれぞれ一緒に接続される必要がある別々の部分または別々の導管である必要はないことができる。空気供給導管60が空気供給導管52と一体化していて、洗浄剤導管62が洗浄剤供給導管54と一体化することで、むしろこれらの導管は、導管全体として形成されていることができる。
[00124] 図5に示されたように、その限りではないが、イラスト化された実施形態では、空気供給導管60と洗浄剤導管62の外側表面の低い部分から下降している一つまたはそれ以上のアライメントチューブ80があることができる。一つまたはそれ以上の実施形態では、留め具71（図3や図4に示された）のような留め具がアライメントチューブ80の遠位端に供給される開口（示されていない）内にあることができる。一つまたはそれ以上の実施形態では、アライメントチューブ80の遠位端に供給される開口（図5には示されていない）を通って、留め具71のような留め具によって洗浄ツール20の上部ケース部分38に底プレート64が取り外し式に取り付けられていることができる。つまり、いくつかの実施形態では、アライメントチューブ80の一つまたはそれ以上の開口内に留め具71を配置したり取り外したりするためにプラスドライバー、プライヤー、レンチ、またはその他のツールのような、しかし限定されない、他のツールをユーザーが使用することができる。
[00125] 上記のように、留め具71を使用したりアライメントチューブ80や底プレート64の留め具穴に留め具71をつけたりせずに底プレート64を上部ケース部分38に取り付ける他の方法を当業者の中には想像することができる。例えば、取り外し式クリップ、ピンまたは他の機械的取り付け具は、上部ケース部分38のどの側にもヒンジし、底プレート64上の受け取り部分に働くよう設計されることができる。
[00126] さらに、一つまたはそれ以上の実施形態では、底プレート64が上部ケース部分38の底表面と反対に付くことで、上部ケース部分38に底プレート64を取り付けできることが記述されている。一つまたはそれ以上の実施形態では、上部ケース部分38の底表面の外側周囲のプロフィールは底プレート64のプロフィールと合うまたは適合するかもしれないことも記述されている。
[00127] 底プレート64を容易に置き換えることも望まれることができる。一つまたはそれ以上の実施形態では、ブラッシングエレメント40のセットおよび/または排気開口66のセットの異なる設計やアレンジメントを持つ多くの異なる底プレート64が動物洗浄ツール20に提供されていることができる。このような他の交換可能な底プレート64は多くの理由で利用されることができる。例えば、ユーザー42のようなユーザーは、異なる大きさの動物を含む異なる動物により適した異なる底プレート64を使用することができる。
[00128] さらに、一つまたはそれ以上の実施形態では、空気供給導管60および/または洗浄剤導管62の外側部分を洗浄ツール20の上部ケース部分38の内壁または内側表面に取り付けるために、一つまたはそれ以上のフランジ81が内腔58内にあることができる。図5に示したように、空気供給導管60と洗浄剤導管62の外側表面を洗浄ツール20の上部ケース部分38の内壁の上部に取り付けるためにフランジ81は使用されることができる。フランジ81のようなフランジは周知されているあらゆる取り付け方法またはコンポーネントによって上部ケース部分38の内壁に取り付けられることができる。例えば、限定はされないが、あらゆるタイプの留め具、溶接または上部ケース部分38との一体化を用いて、フランジ81は取り付けられることができる。
[00129] 一つまたはそれ以上の実施形態では、上部ケース部分38の内腔58内に配置されている一つまたはそれ以上の排気チューブ82があることができる。一つまたはそれ以上の実施形態では、排気チューブ82は、空気提供導管60と流体連通する追加の導管（例としてチューブ）であることができる。図5に示したように、その限りではないが、イラスト化した実施形態では、上部ケース部分38のインレット24の近くに最初の排気チューブ82があり、洗浄ツール20の上部ケース部分38のほぼ中央軸または中央部分に2番目の排気チューブがある。一つまたはそれ以上の実施形態では、排気チューブ82は空気供給導管60の縦軸に実質的に垂直に配向されていることによって洗浄ツール20の空気供給導管60に取り付けられているおよび/または遠ざけられていることができる。図5の典型的なアレンジメントとして示されているのとは異なる排気チューブ82のアレンジメントや設計があることは当業者には理解可能である。
[00130] 一つまたはそれ以上の実施形態では、排気チューブ82の遠位端での開口は底プレート64にある一つまたはそれ以上の排気開口66と並べられていることができる。さらに、底プレート64が洗浄ツールの上部ケース部分38に取り付けられまたは（取り外し式またはそうではなく）接続されると、排気チューブ82の遠位端の開口は（例として、空気供給導管60から最も遠い開口）底プレート64の複数の排気開口66の上にあるまたは実質的に覆っていることができる。
[00131] 気流が空気供給導管60に提供されていると、一つまたはそれ以上の実施形態では、空気は洗浄ツール20の上部ケース部分38内の空気供給導管60、排気チューブ82を通って流れ、底プレート64の一方の側からもう一方へ伸びる排気開口66のセットを通って出ることができる。つまり、底プレート64が上部ケース部分38に取り付けられていると、排気チューブ82に流れるエア（空気）65は底プレート64内に配置または取り付けられている排気開口66のセットから実質的に放出される。
[00132] 上記に加え、一つまたはそれ以上の実施形態では、外への排気チューブ87は上部ケース部分38内の空気供給導管60の末端と流体連通していることができる。空気スプレー噴霧を使用する噴霧プロセス中、エア（空気）65は外への排気チューブ87を通って流されることができる。一つまたはそれ以上の実施形態では、外への排気チューブ87から流されたエア（空気）65は、空気スプレー噴霧のプロセス中に使用される。図5に示したように、一つまたはそれ以上の実施形態では、排洗浄剤チューブ87の末端から先細るテーバーリング部分92があることができる。一つまたはそれ以上の実施形態では、（例として図3と図4に示した）流体リリースキャップ90は、排洗浄剤チューブ86のテーパーリング部分92の底表面にねじ切りまたはねじ切りではなく取り付けられていることができる。一つまたはそれ以上の実施形態では、流体リリースキャップ90のために底プレート64内に当てがわれた開口内に流体リリースキャップ90があると、流体リリースキャップ90は排洗浄剤チューブ87と密封状態で取り付けられることができる。流体リリースキャップ90はその取り付けと場所に適したあらゆる大きさおよび/または直径であることができる。
[00133] つまり、一つまたはそれ以上の実施形態では、流体リリースキャップ90は外への排気チューブ87（例として、テーパーリング部分92）に取り付けられ、エア（空気）65は流体リリースキャップ90や空気体93に配置された一つまたはそれ以上の空気キャップ穴91を通って外への排気チューブから放出されることができる。
[00134] 一つまたはそれ以上の実施形態では、排気チューブ82と外への排気チューブ87は、空気供給導管60の縦軸に実質的に垂直に配向されていることによって、空気供給導管60に取り付けられている、および/または、から離れていることができる。図5や図6の典型的なアレンジメントとして示されているのとは異なる排気チューブ82や外への排気チューブ87のアレンジメントまたは設計があることは当業者には理解可能である。
【００９９】
図5や図6に示したように、洗浄剤供給導管62はまた、洗浄ツール20の上部ケース部分38の内腔58内の末端ポイントに向けられることができる。一つまたはそれ以上の実施形態では、底プレート64が洗浄ツール20の上部ケース部分38に取り付けまたは接続されていると、排洗浄剤チューブ86（図6に示されている）は底プレート64にある決められた開口へ伸びる流体リリースキャップ90と並べられることができる。一つまたはそれ以上の実施形態では、ノズル69（示されていない）のようなノズルは、図6に示された排洗浄剤アパーチャ96のような排洗浄剤チューブ86の端開口内に、フィットすることができる。つまり、付けられたノズル69を通って洗浄剤50を送るように排洗浄剤チューブ86は設計されていることができる。実質的にディスペンド端108が流体リリースキャップアパーチャ89へ伸びること（例として図9を参照）で、洗浄剤50はノズル69のディスペンド端108から外側に流されることができる。
【０１００】
つまり、底プレート64が上部ケース部分38に取り付けられる際底プレート64がどのように位置し、さまざまな開口（例として、複数の排気開口66や留め具穴70）をどこに設置するかを、これらのチューブがユーザーが理解できるようにするため、底プレート64が上部ケース部分38に取り付けられる際にユーザーを助けるアライメントチューブ80、排気チューブ82、排洗浄剤チューブ86の形成におけるガイドや援助が本発明によって提供される一つまたはそれ以上の実施形態を含むことができる。
【０１０１】
さらに、図6は図5のセクションライン1-1に沿って取られた動物洗浄ツール20の上部ケース部分38の内側の部分断面図を示す。図6はまた、内腔58も示す。典型的な、しかしその限りではない、図6に示したような上部ケース部分38のイラスト化された実施形態では、一つまたはそれ以上の実施形態で上部ケース部分38が底プレート64の形に対応するよう輪郭を描いていることが当業者には認識可能である。さらに、一つまたはそれ以上の典型的な実施形態では、上部ケース部分38の周囲は底プレート64の周囲に対応していることができる。
【０１０２】
一つまたはそれ以上の実施形態では、図6に示したように、空気供給導管60の他の部分が外への排気チューブ87に向いている間、空気供給導管60の一つの部分は排気チューブ82と接続されることができる。さらに、他の実施形態では、排気チューブ82または排気開口66のどちらか単独で空気をチャネリングする二つの別々な導管が使用されることができる。
【０１０３】
もう一つの実施形態では、空気供給源、例として空気供給源56の駆動によって、気流は、はじめ上部ケース部分38の空気供給導管60を通って流され、底プレート64内にある複数の排気開口66と並べられている一つまたはそれ以上の排気チューブ82を通ることができる。さらに、たとえ洗浄剤アパーチャ96から（ノズル69を介して）洗浄剤50が出されなくとも、気流66が最初に自動的に外への排気チューブ87の外へ流されるようにすることも可能とすることができる。さらに、動物10の表面上に洗浄剤50を出す必要がなく、余分な毛、毛皮、残骸を乾燥またはブラッシングするために、動物10上に洗浄ツール20から最初に出される空気量を、ユーザー42のようなユーザーが増加させることができる。つまり、流体供給ユニット20から洗浄剤50がリリースされないことで、動物洗浄ツール20は「ドライヤー」として使用されることができる。さらに、動物10の表面上に排気開口66のセットや流体リリースキャップ90の空気穴91から空気だけがリリースされることができる。動物10に流体供給ユニット34からエア（空気）65のような空気を（洗浄剤50のリリースなしで）流す空気供給源を活性化することは、動物10が、湿っている或いは濡れている時に飼い主が動物10を有益に乾かせるようにすることができる。さらに、空気を吹きかけることは、動物10の余分な毛を除くことにも役立つことができる。
【０１０４】
一つまたはそれ以上の排気チューブ84への気流65の最初の流れに続き、本発明での一つまたはそれ以上の限定されない方法により、エア（空気）65が排気チューブ82から底プレート64の排気開口66のセットを通ってリリースされないために、外への排気チューブ87にエア（空気）65だけ、または、そのほとんどが向けられることができる。むしろ、洗浄剤50が噴霧スプレー（例として、噴霧されたスプレー104）に噴霧される間、流体リリースキャップ90に最大量のエア（空気）65がリリースされるように、外への排気チューブ87に空気供給導管60を通って、排他的に流れるように気流65は向けられることができる。つまり、限定はされない一つまたはそれ以上の実施形態では、流体供給ユニット34から流体リリースキャップ90やそこにある一つまたはそれ以上の空気キャップ穴91にすべてのエア（空気）65を向けることによって、空気スプレー噴霧プロセスを用いた噴霧プロセスがより効果的に達成されることができる。
【０１０５】
あるいは、別の実施形態では、空気スプレー噴霧プロセスが起こっている間、外への排気チューブ87と流体リリースキャップ90へと同様に、エア（空気）65は排気チューブ82と排気開口66のセットの両方に向けられる。限定はされないが、一つまたはそれ以上の実施形態では、排気チューブ82または外への排気チューブ87のいずれかに空気を選択的に向かわせるため、限定はされないが、電磁弁を含む、周知の一つまたはそれ以上のバルブが使用されることができる。あるいは、ブロックプレート（示されていない）が、排気チューブ82または排気チューブ87に関連した空気口をカバーするために、伸張や収縮することができる。
【０１０６】
いくつかの実施形態では、気流65を選択的に特定の排気チューブ82や特定の排気開口66のセットに向けることが可能であるかもしれないことが記されている。さらに、上部ケース部分38や最終的に排気開口66のセットから流れるように気流65が向かう方向をユーザー42が選択的に操作することができる。
【０１０７】
動物洗浄ツール20、供給ホース26、流体供給ユニット34を組み立てる方法には、供給ホース26の一端を流体供給ユニット34のアウトレット（例として、アウトレット28）に取り付け、供給ホース26の他の端を動物洗浄ツール20のインレット（例として、インレット24）に取り付けることが含まれることができる。より具体的に、一つまたはそれ以上の実施形態では、空気洗浄供給導管52の一端は上部ケース部分38の空気供給導管60の開口端に取り付けられ、洗浄剤供給導管54の一端は上部ケース部分38の洗浄剤供給導管62の開口端に取り付けられることができる。
【０１０８】
さらに、ノズル69のベース端106は洗浄剤導管60の開口端にあることができる。一つまたはそれ以上の実施形態では、底プレート64が上部ケース部分38に取り付けられる前に流体リリースキャップ90が空気供給導管に取り付けられることができる。あるいは、流体リリースキャップ90がフィットするようにデザインされた底プレートの外側開口を通って流体リリースキャップ90が配置されるので、底プレート64が上部ケース部分38に取り付けられた後に流体リリースキャップ90が取り付けられることができる。一つまたはそれ以上の実施形態では、図4に示したように、排気開口66のセットは底プレート64の上に並べられている。つまり、底プレート64の上部ケース部分38への取り付けでは、排気開口66のセットが空気供給導管60と（例として、排気チューブ82を通って）並び、流体連通するようになる。一つまたはそれ以上の実施形態では、図6に示したように、空気チューブ82の端で、底プレート64の上にある排気開口66に対応して並んだ排気開口のセットを排気チューブ82は含んでいる。あるいは、他の実施形態では、排気チューブ82は排気開口のセットを含まないが、むしろエア（空気）65が底プレート64の上にある排気開口66のセットに流れる開口端またはアパーチャを排気チューブ82は有する。他の実施形態では、（例として、図10から12に示し、以下にもさらに説明するように）図4に図解された排気開口66に類似した排気開口のセットをインサート1102が含むので、動物洗浄ツール（動物洗浄ツール20のような）の上部ケース部分の内腔1058内にインサート1102は配置されることができる。
【０１０９】
一つまたはそれ以上の実施形態では、ユーザー42のようなユーザーは供給ホース26を流体供給ユニット34や動物洗浄ツール20に取り付け、ユーザー42は上部ケース部分を底プレート64に取り付けることができる。あるいは、他の実施形態では、ユーザー42はあらかじめ組み立てられたセットとして動物洗浄ツール20、供給ホース26、流体供給ユニット34を調製される。
【０１１０】
動物10にかける液体や水の量を減らすことは利点であるが、一人またはそれ以上の飼い主は動物10を水で洗い流すか入浴させる必要がある。さらに、一つまたはそれ以上の実施形態では、動物洗浄ツール20は水源（示されていない）に接続されることができる。一つまたはそれ以上の実施形態では、水源（示されていない）は、ある程度の水量が入るコンテナ（例としてバケツ）を、その限りではないが、含むことができる。他の実施形態では、住居または店舗にある一つまたはそれ以上の蛇口やホースを含む蛇口やホースのディスペンド端に動物洗浄ツール20が接続されることができる。あるいは、洗浄ツール20は他の水供給システムに接続されることができる。一つまたはそれ以上の実施形態では、供給ホース26のような供給ホースが水源に接続されることができる。一つまたはそれ以上の実施形態では、供給ホース26を水源の端に取り付けるためにアダプターが使用され、インレット、例としてインレット24を通って挿入されたコネクターを介して供給ホース26の他の端は動物洗浄ツール20に取り付けられることができる。
【０１１１】
一つまたはそれ以上の実施形態では、水源に接続されると、動物洗浄ツール20の上部ケース部分38の外側表面にあるセレクタまたは活性化メカニズム、例としてセレクタ21または活性化メカニズム22は、洗浄剤供給導管54を通る水のチャネリングをトリガーするために選択されることができる。続いて、水源から通された水は動物10の表面にノズル69のディスペンド端108からリリースされることができる。つまり、動物洗浄ツール20は多目的で、ユーザーや飼い主が望めば動物10の表面を洗い流す若しくは濡らすために水源に接続して使用されることができる。供給ホース26を流体供給ユニット34のような流体供給ユニットに取り付け、続いて、動物洗浄ツール20を用いて動物10の表面を乾燥させるために流体供給ユニット34からエア（空気）65のリリースを始めるために、上記一つまたはそれ以上の方法を使用する、動物10の乾燥および/または洗浄が可能である。さらに、動物10の表面に噴霧されたスプレー104として洗浄剤50をリリースするため洗浄剤活性化メカニズム、例として活性化メカニズム22をユーザーは用いることができる。
【０１１２】
さらに、図1から図6は、空気供給源56と洗浄剤リザーバー32を含むよう設計された流体供給ユニット34に取り付けられる洗浄ツール20の典型的であるが限定されない実施形態を示す。他の実施形態では、流体供給ユニット34は代わりに図7に示されたような同様の機能を持つ持ち運び式でないユニットと置き換えられることができる。本発明の一つまたはそれ以上の実施形態での流体供給ユニットと洗浄ツールの典型的であるが限定されない絵のイラストを図7は示す。流体供給ユニット734は上記の流体供給ユニット34と同様に機能する。さらに、流体供給ユニット734は空気供給源（示されていない）と洗浄剤供給源（示されていない）を含む。空気、上記の（例としてシャンプー）のような洗浄剤50のような洗浄剤またはそれらの組み合わせを出すためにユーザーによって一つまたはそれ以上のセレクタ706が選択されることができる。さらに、限定はされないが一つまたはそれ以上の実施形態では、現金、硬貨および/またはクレジットカードを含むがその限りではないユーザーからの支払を受け取るよう設計された流体供給ユニット734と共に支払いデバイス708が含まれることができる。
【０１１３】
一つまたはそれ以上の実施形態では、一つまたはそれ以上の取り付けデバイス712を介して支持構造704に流体供給ユニット734が取り付けられるまたは固定されることができる。支持構造704はあらゆるタイプの支持構造となり得る。典型的であるがその限りではない実施形態に示されるように、支持構造704は壁ことができる。あるいは、支持構造704は、家具、ポール、柱、床または地面あるいは他のタイプの支持構造を含むあらゆるタイプの支持構造またはレベルであることができる。一つまたはそれ以上の実施形態では、取り付けデバイス712は周知されたあらゆるタイプの留め具であることができる。あるいは、溶接またはいわゆる接着剤のような、しかしその限りではない他の方法で、流体供給ユニット734は支持構造704に取り付けられることができる。一つまたはそれ以上の実施形態では、流体供給ユニット734は支持構造704に固定または取り付けられていないフリースタンディングユニットとすることができるが、流体供給ユニット734が動くのを防ぐよう、流体供給ユニット734の重量は十分に重いものでありえる。
【０１１４】
一つまたはそれ以上の実施形態では、供給ホース726は流体供給ユニット734に取り付けられ、あらゆる長さまたは大きさであることができる。供給ホース726は上記のような供給ホース26と同様に機能することができる。一つまたはそれ以上の実施形態では、供給ホース726は上記のようにエア（空気）65や洗浄剤50のような気流や洗浄剤を動物洗浄ツール720に送ることができる。動物洗浄ツール720は、本発明の上記の動物洗浄ツール20と同様に機能することができる。一つまたはそれ以上の実施形態では、上部ケース部分738と動物710のような動物の外側表面をブラッシングや洗浄するためのブラッシングエレメント740のセットを持つ底プレート764を、動物洗浄ツール720は含むことができる。流体供給ユニット734から放出される洗浄剤をユーザーは選択することができ、一つまたはそれ以上の実施形態では、流体供給ユニット734からの洗浄剤は、粒子の噴霧されたスプレーとして動物710の表面に放出されることができる。噴霧のあらゆるプロセスは周知されているように使用されることができる。一つまたはそれ以上の実施形態では、洗浄剤が流体リリースキャップから放出されると空気の実質的な同時放出によって洗浄剤を噴霧するように設計されている流体リリースキャップ（例として、流体リリースキャップ90）を動物洗浄ツール720は含むことができる。
【０１１５】
流体供給ユニット34は、持ち運び可能でユーザーの用途に応じて一つまたはそれ以上の場所に容易に移動できる一方で、流体供給ユニット734は動物10のような動物の洗浄に使用される持ち運び式でないユニットであることができる。さまざまな他の場所と同様に限定されずに動物病院、カーウォッシュ、動物スパ、コインランドリーを含む多くの施設に流体供給ユニット734は設置されることができる。
【０１１６】
図8は本発明の一つまたはそれ以上の実施形態による動物洗浄ツール20の絵のイラストである。図9は図8の動物洗浄ツール20の底面透視図である。一つまたはそれ以上の実施形態では、図8から9に示された動物洗浄ツール20が、図1から6に示され上に記されたように使用されることができる。さらに、図7に示された動物洗浄ツール720は動物洗浄ツール20のように実装されることができる。つまり、図8から9の動物洗浄ツール20は、上に記された動物洗浄ツール10の他のイラスト化された実施形態で、上に記されたあらゆるコンポーネントやプロセスを用いて組み立てられ、実装されることができる。
【０１１７】
一つまたはそれ以上の実施形態では、図8から9の動物洗浄ツール20は上部ケース部分38の上部外側表面にある活性化メカニズム22を含む。いくつかの実施形態では、継続的な流れとして洗浄剤50を選択的にリリースするために活性化メカニズム22は使用されることができる。さらに、一つまたはそれ以上の実施形態では、取り付けられた流体供給ユニット34や流体供給ユニット734の電源を入れたり切ったりするのと同様に異なる流体（例としてエア（空気）65または洗浄剤50）をリリースするために、活性化メカニズム22は違う位置（例として左、右、上）に変えられることができる。動物洗浄ツール20のための活性化メカニズム22やセレクタ21のような追加のセレクタは、上部ケース部分38または底プレート64のいずれかの望まれるまたは適合するところに配置され、本発明の図解のいずれかに示された場所に限定されない。
【０１１８】
一つまたはそれ以上の実施形態では、図8から9に示された動物洗浄ユニット20は、動物10のような動物の表面をブラッシングするために使用されるブラッシングエレメント40のセットを含む。ブラッシングエレメント40のセットは、ブラッシングで洗浄剤を動物10の表面に付けたり、表面から取ったりする。さらに、望まないダニおよび/またはノミを取り除いたり、毛が抜けないようにしたりするためにブラッシングエレメント40のセットは動物10の毛または表皮をブラッシングするのに使用されることができる。ユーザーが動物洗浄ツール20を手に握り、動物に触って、動物の表面上で動物洗浄ツール20を動かす際にブラッシングエレメント40の突出した端は最適である。
【０１１９】
図8から9に示したように、動物洗浄ツール20は側壁74の湾曲した対を含むことができる。一つまたはそれ以上の実施形態では、側壁74の湾曲した対を手のひらの中に持てば動物洗浄ツール10を持つあるいは掴むのがより簡単であることができる。それでも本発明の側壁74または動物洗浄ツール20いずれかの形または湾曲率は限定されない。
【０１２０】
図8から9に示したように、底プレート64は上部ケース部分38に取り付けられていることができる。ブラッシングエレメント40のセットまたは他の空気開口66の他のアレンジメントを持つ別の底プレート64と共に底プレート64は取り外し可能で交換可能とすることができる。一つまたはそれ以上の実施形態では、底プレート64は流体リリースキャップ90を含むことができる。図9に示したように、上に示したノズル（例としてノズル69）のディスペンド端108は、流体リリースキャップ90のアパーチャ（例として、アパーチャ89）まで伸びることができる。さらに、図9の流体リリースキャップ90は上記のように空気キャップ穴91のセットや空気キャップ体93を含むことができる。動物洗浄ツール20の内腔58（示されていない）に届くよう供給ホース26が伸ばされている動物洗浄ツール20へのインレット24を図9はさらに図解する。
【０１２１】
図10から12に示すように、動物洗浄ツール20の上部ケース部分38と底プレート64の間にブラッシングエレメント1066のセットを配置するためにインサートを使用している、動物洗浄ツール1020の上部ケース部分1038の実施形態が提供されている。一つまたはそれ以上の実施形態では、上記の動物洗浄ツール20と同様に動物洗浄ツール1020は機能し、同様の特徴および/またはエレメントを含むことができる。さらに、上記のように流体供給ユニット34に接続される供給ホース26のような供給ホースに動物洗浄ツール20は取り付けられることができる。
【０１２２】
図10に示した上部ケース部分1038は、流体リリースキャップ（例として、流体リリースキャップ90）に取り付けられるよう設計されているレセプタクル1002を含むことができる。レセクタプル1002がノズルアパーチャ1004を含むことによって、ノズルのベース端（例としてノズル69のベース端106）がノズルアパーチャ1004にフィットすることができる。図10に示した動物洗浄ツール1020はさらに、レセプタクル1002がある中に内腔1058を含むことができる。一つまたはそれ以上の実施形態では、上部ケース部分1038の一つまたはそれ以上の内側端1006は内側に湾曲していることができる。さらに、内側の接続体1010がインサート1102（図11に示されている）に接続するために使用されるように、一つまたはそれ以上の内側の接続体1010が含まれることができる。インレット1022は、上記に述べられた供給ホース26のような供給ホースを挿入するためのインレットであることができる。一つまたはそれ以上の実施形態では、図8から9に示した底プレート64のような底プレートは、ブラッシングエレメント40のセットを持つ上部ケース部分1038に取り付けられることができる。
【０１２３】
動物洗浄ツール1020の上部ケース部分1038内に挿入されるかもしれないインサート1102の限定はされないが典型的な実施形態を図11は示す。図11に示したインサート体1110は図10に示したように接続体1010に配置されていることができる。一つまたはそれ以上の留め具（例として、図12の留め具1204）がインサート1102を所定位置に置くために留め具穴1108内に挿入されることができる。
【０１２４】
排気開口1166のセットはインサートサポート表面1164の上に配置、並べられることができる。排気開口1166のセットは、図1から9と上に記された排気開口66のセットと同様の形と機能であることができる。さらに、排気開口1166のセットは、空気が放出される穴の一つまたはそれ以上のグループ化ができる。空気は一つまたはそれ以上の導管を通って供給され、上記に述べられた流体供給ユニット34のような流体供給ユニットから発生することができる。排気開口1166のセットはあらゆる直径や大きさで形成され、望まれるように穴またはパターンの数をアレンジされることができる。
【０１２５】
インサート1102の低い底部分1112を通って伸びる二つの主な開口（示されていない）をインサート1102は含むことができる。これらの低い二つの主な開口を通って、空気供給導管60や洗浄剤供給導管62について上記のように空気供給導管と洗浄剤供給導管は、レセプタクル1002内に入る一つまたはそれ以上の導管1012に伸びて接続することができる。一つまたはそれ以上の実施形態では、レセプタクル1002が一つまたはそれ以上の開口を含むことによって、空気供給導管からの空気がレセプタクル1002の一つまたはそれ以上を通ってリリースされることができる。
【０１２６】
図12は所定位置に組み立てられた動物洗浄ツール1020のいくつかのエレメントの絵のイラストである。図12に示したように、流体リリースキャップ1290はレセプタクル1002に取り付けられている。一つまたはそれ以上の実施形態では、図1、図3や本発明全体で上に述べられている流体リリースキャップ90のように、流体リリースキャップ1290は設計されていることができる。空気スプレー噴霧プロセス中、流体リリースキャップ90に関して上に記されているように作動する空気キャップ穴1291や空気キャップ体1293を流体リリースキャップ90は含むことができる。
【０１２７】
図12に示したように、空気供給導管1260はインサート1102の一つの横側上の最初の低い開口を通り接続し、インサート1102の高い開口を通り抜け、そしてレセプタクル1002（図12に示されていない）内にコネクター導管1012を通って接続されることができる。洗浄剤導管1262はインサート1102の反対の横側に配置されている2番目の低い開口を通って接続し、インサート1102の高い開口を通り抜け、そしてレセプタクル1002内にコネクター導管1012を通って接続されることができる。つまり、空気供給導管1260や洗浄剤導管1262はインサート1102の内側を通り横軸に沿って伸びることができる。
【０１２８】
一つまたはそれ以上の実施形態では、導管1261はインサート1102上に出て排気開口1166のセットに特に向けられることができる。図12に示したようにインサート1102はレセプタクル1002から取り外されることができる。さらに、一つまたはそれ以上の実施形態では、インサート1102はレセプタクル1002に取り付けられていることができる。
【０１２９】
つまり、図10から12は動物洗浄ツール20のような動物洗浄ツールの他の実施形態を提供する。上記や本発明全体で述べられている一つまたはそれ以上のプロセスを用いて、動物10のような動物の洗浄や衛生維持に、動物洗浄ツール1020は使用されることができる。図1から9に上記された底プレート64のような底プレートは、動物洗浄ツール20の上部ケース部分38の底表面に取り付けられることができる。一つまたはそれ以上の実施形態では、底プレート64が上部ケース部分38に取り付けられると、動物洗浄ツール1020は動物10をブラッシングするのに使用され、その活性化によって、流体供給ユニット34からのエア（空気）65は動物洗浄ツール1020の一つまたはそれ以上の導管（例として、空気供給導管1260）を通って流され、洗浄剤50は流体供給ユニット34から供給ホース26のような供給ホースを介して洗浄剤導管1262に流されることができる。
【０１３０】
動物洗浄ツール1020には、インサート1102が排気開口1166のセットを有してインサート1102が含まれている。さらに、空気供給導管1261と洗浄剤導管1262はインサート1102の本体を通り伸び、上部ケース部分1038の内腔1058内に配置されているレセプタクル1002のようなレセプタクルに接続する。
【０１３１】
上記に加え、動物洗浄ツール1020が流体供給ユニット34のような流体供給ユニットとシグナル通信するため、空気供給源や洗浄剤源を含む流体供給ユニット34に接続するために動物洗浄ツール1020内に絶縁電気ワイヤ（図10から12には示されていない）を含む電気ワイヤが含まれることができる。さらに、動物洗浄ツール20の外側ケースに配置されている一つまたはそれ以上のセレクタ、例としてセレクタ21または活性化メカニズム、例として活性化メカニズム22と関連して使用するため電気ワイヤは動物洗浄ツール1020から電力源に接続されることができる。
【０１３２】
図13に示すように、図13は本発明の一つまたはそれ以上の実施形態による動物洗浄ツールのブロック図を示す。図14は図13に関して以下に述べられている動物洗浄ツール1302のような動物洗浄ツールの典型的であるがその限りではないイラスト化した実施形態を示す。動物洗浄ツール1302の他の設計も提供され、本発明を踏まえて形態は当業者には理解可能である。
【０１３３】
ここで述べられた一つまたはそれ以上の方法を伴うことで上に記されたように動物10のような動物の洗浄や衛生維持のために動物洗浄ツール1302は使用される。ユーザー42のようなユーザーは一つまたはそれ以上の実施形態では動物10の飼い主であることができる。あるいは、ユーザー42は、動物病院、ペットサロンのようなところで動物を洗浄する従業員であることができる。動物10は飼い主または動物洗浄ツール10のユーザーの家庭で飼われるペットを含むあらゆるタイプの動物であることができる。
【０１３４】
一つまたはそれ以上の実施形態では、動物洗浄ツール1302はケース1334を含むことができる。ケース1334は、動物洗浄ツール1302の一つまたはそれ以上の内側コンポーネントや組み立て部品のための容器であることができる。さらにケース1334は一つまたはそれ以上のセレクタ1308を持つ外側表面を含むことができる。セレクタ1308は、ボタン、ノブ、トリガーまたはダイアルを含むがその限りではない当業者には周知されているあらゆるタイプのセレクタであることができる。動物洗浄ツール1302の一つまたはそれ以上のオプションまたは特徴を選択する方法をユーザー42に提供するためにセレクタ1308はケース1334の外側表面に出ていることができる。
【０１３５】
さらに、一つまたはそれ以上の実施形態では、エア（空気）1336のような空気および/または洗浄剤1320のような洗浄剤の放出を選択するために、トリガー1310のようなトリガーがユーザーによって選択的に押され、リリースされることができる。
【０１３６】
一つまたはそれ以上の実施形態では、ハンドルアッセンブリ1304のようなハンドルアッセンブリが動物洗浄ツール1302には含まれていることができる。つまり、ハンドルアッセンブリ1304はユーザー42のようなユーザーが動物洗浄ツール1302を握る場所を提供することができる。他の実施形態では、ハンドルアッセンブリに関係なくユーザー42は動物洗浄ツール1302のどの表面も握ることができることができる。動物洗浄ツール1304は望まれるようにあらゆる形または大きさになり得る。同様にハンドルアッセンブリ1304はその用途に適したあらゆる形または大きさになることができる。
【０１３７】
一つまたはそれ以上の実施形態では、オン/オフ選択メカニズム1314は動物洗浄ツール1334の表面上に出ていることができる。オン/オフ選択メカニズム1314は、動物洗浄ツール1302の電源を入れるのに使用されることができる。一つまたはそれ以上の実施形態では、動物洗浄ツール1302はさらにパワーサプライ源1312を含むことができる。一つまたはそれ以上の実施形態では、パワーサプライ源1312は例として電力コンセントから動物洗浄ツール1302に電流を供給することができる。他の実施形態では、パワーサプライ源は動物洗浄ツール1302に取り付けられた一つまたはそれ以上のバッテリーによることができる。
【０１３８】
一つまたはそれ以上の実施形態では、パワーサプライ源1312に接続されている一つまたはそれ以上のモーター1316を動物洗浄ツール1302は含むことができる。さらに、空気供給チャンバー1310が動物洗浄ツール1302に付けられることができる。エア（空気）1336のような空気のリリースを一つまたはそれ以上の排気開口（例として、洗浄プレート1322の排気開口1326）へ循環し向けるために空気供給チャンバーは設けられることができる。一つまたはそれ以上の実施形態では、空気供給チャンバー1310は吸気ベント1314のセットを含むことができる。さらに、空気供給チャンバー1310は供給する空気1334のために一つまたはそれ以上の扇風機1312を含むことができる。追加のコンポーネントが空気供給チャンバー1310、モーター1316、扇風機1312の操作に必要であるかもしれないことは当業者には理解可能である。
【０１３９】
一つまたはそれ以上の実施形態では、洗浄剤貯蔵コンパートメント1318が動物洗浄ツール1302に含まれることができる。一つまたはそれ以上の実施形態では、洗浄剤貯蔵コンパートメント1318は洗浄剤1320を入れて蓄えるためにレセプタクルとして機能するように設けられていることができる。洗浄剤1320は動物10のような動物の洗浄に特に適している洗浄剤であることができる。一つまたはそれ以上の実施形態では、洗浄剤1320の内容物として、限定されないが、70%以下の水のように、水の量を洗浄剤は減らすことができる。本発明全体で述べられたように洗浄剤50に関して上に記されたのと同じ目的や特徴を洗浄剤1320は有することができる。
【０１４０】
一つまたはそれ以上の実施形態では、洗浄剤貯蔵コンパートメント1318は動物洗浄ツール1302（例として、図14に示されたような1302）のケース1334のどの側にも取り付けられることができる。図14では、洗浄剤貯蔵コンパートメント1318は洗浄プレート1322の下に設けられていることができる。しかし、他の実施形態では、洗浄剤貯蔵コンパートメント1318は動物洗浄ツールケース1334に取り外し式に取り付けられていることができる。
【０１４１】
あるいは、他の実施形態では、洗浄剤貯蔵コンパートメント1318は、動物洗浄ツール1302のケース1334に取り付けられるよりもむしろ、動物洗浄ツール1302の外側ケース1334の中に入れられていることができる。
【０１４２】
さらに、一つまたはそれ以上の実施形態では、洗浄プレート1322は動物洗浄ツール1302に取り外し式に対になっていることができる。いくつかの実施形態では、コネクター1330（例として図14に示されている）のようなコネクターが洗浄プレート1322の動物洗浄ツール1302への、そして、からの接続に使用されることができる。洗浄プレート1322はブラッシングエレメント1324のセットを含むことができる。ブラッシングエレメント1324のセットは、一つまたはそれ以上の実施形態によると、ブラッシングブリストルとして互換的に記述されることができる。ブラッシングエレメント1324のセットはあらゆる大きさまたは形であり、動物または人間の毛、ポリエステル、ゴムまたはプラスチックを含むがその限りではないあらゆる素材でできていることができる。図10のブラッシングエレメント1324のセットが、典型的であるがその限りではない実施形態では、短い毛のようなブリストルとして示されている一方で、円錐形または球形のブラッシングエレメントを含むブラッシングブリストルのために、ブラッシングエレメント1324のセットは周知されているあらゆる他の形、大きさ、設計または素材を含むことができる。
【０１４３】
本発明の実施形態によると、気流1334をリリースするように設計されている排気開口1326のセットを洗浄プレート1322はさらに含むことができる。さらに、洗浄プレート1322は少なくとも一つの洗浄剤アパーチャ1328を含むことができる。一つまたはそれ以上の実施形態では、洗浄剤アパーチャ1328は洗浄剤1320を出すように設計されていることができる。
【０１４４】
一つまたはそれ以上の実施形態では、ノズル1322（図14には示されていない）は、動物洗浄ツール1302の内側構造と共に含まれることができる。一つまたはそれ以上のノズル1331（示されていない）は、内側構造のような中に組み込まれ、洗浄剤貯蔵コンパートメント1318から洗浄剤1320を出すために使用されることができる。
【０１４５】
一つまたはそれ以上の実施形態による動物洗浄ツールを用いた方法のフローチャートを図15は示す。図15に提供されたプロセスは、図１から6と図8から9にある動物洗浄ツール20と流体供給ユニット34のような動物洗浄ツールと流体供給ユニットによって実装されていることができる。さらに、図15に提供されたプロセスは、図7の動物洗浄ツール720と流体供給ユニット734によって実装されていることができる。さらに、図15に提供されているプロセスは、図13の動物洗浄ツール1302と同様、図10から12の動物洗浄ツール1020を用いて実装されることができる。
【０１４６】
流体供給ユニット内の空気源を活性化するユーザー入力（ステップ1502）の受信によって、プロセスは開始することができる。流体供給ユニット内の空気源から動物洗浄ツールのプレート表面にあるまたは取り付けられている空気開口のセットへ空気を流すこと（ステップ1504）によって、プロセスは続くことができる。一つまたはそれ以上の実施形態では、動物洗浄ツールのプレート表面にあるまたは取り付けられている空気開口のセットから、動物の表面に空気を流すこと（ステップ1506）によってプロセスは続くことができる。続いて、動物洗浄ツールのプレート表面にあるまたは取り付けられている少なくとも一つの開口からの洗浄剤のリリース（ステップ1508）を活性化するユーザー入力をプロセスは受信することができる。洗浄剤リリースの活性化によって、粒子の噴霧されたスプレーとして動物の表面に洗浄剤は放出されることができる（ステップ1510）。
【０１４７】
いくつかの他の実装では、図15に示されたフローチャートのステップに記された機能は、図15に記された順番ではなく起こることができる。例えば、続いて示される二つのステップは、実際、実質的に同時に実行され、ステップはときどき関与する機能によって逆順で実行されることができる。
【０１４８】
上記の動物洗浄ツールのための一つまたはそれ以上の実施形態は、いくつかは以下に記述されているが、多くの利点を提供することができる。ここに記した動物洗浄ツールのための一つまたはそれ以上の実施形態は、少ない時間と高い効率で動物の飼い主がつねに自身の動物を洗浄、入浴、衛生維持できるようにすることができる。洗浄剤を用いた洗浄、ブラッシング、動物の洗浄と乾燥をするためここに記されている一つまたはそれ以上の実施形態によって同じツールが使用されるかもしれないことは動物の飼い主にとって役立ち、望まれることであることができる。つまり、数分の単位の非常に短い時間内に動物は洗浄と乾燥されることができる。動物を洗浄と乾燥するための従来の方法は、より多くの時間と労力がかかる。ここに記されたように動物洗浄ツールの一つまたはそれ以上の実施形態は、既存の洗浄方法が必要とし別々に行われる多くのステップを包括するので、動物を洗浄、および/または乾燥するのにかかる時間を大幅に減らすことができるのことができる。
【０１４９】
さらに、動物の表面に粒子の良質のスプレーとして洗浄剤を噴霧または放出される洗浄剤を伴う圧縮空気の使用を本発明の一つまたはそれ以上の実施形態は組み込むことができる。ここに記述されたように、圧縮された空気は好みの圧力および/または速度の幅でリリースされることができる。繰り返しかけられ、そして取り除かれなければならない大量の水やせっけんを用いる従来の方法よりも、むしろ、粒子の良質なスプレーとして動物の表皮、皮膚、毛皮にかけられる洗浄剤と同様に動物の表面に空気を吹きかけることは、動物にとってより快適な洗浄体験であることができる。つまり、ここに記述される一つまたはそれ以上の実施形態は、動物にとってより快適な改善された洗浄と入浴のプロセスや、動物から汚れ、ドロ、悪臭を取り除くためのずっと素早くより効率的な方法を、動物の飼い主または世話をする人に提供することができる。
【０１５０】
さらに、本発明で記される動物洗浄ツールの一つまたはそれ以上の実施形態と含まれるブラッシングエレメント（例として、ブラッシングエレメント40のセット）は、多くの利点を提供することができる。例えば、自らの手を使って汚れまたは動物の汚れた部分を物理的に人が触る必要なく、動物のさまざまな輪郭や部位全体に洗浄剤をブラッシングすることにブラッシングエレメントは使用されることができる。
【０１５１】
一つまたはそれ以上の実施形態によって、ここに記述される洗浄、ブラッシング、乾燥のプロセスは、より定期的に動物の衛生維持を飼い主が行えるようにすることができる。動物洗浄ツールの一つまたはそれ以上の実施形態は、動物の洗浄、ブラッシング、乾燥に関与する仕事の高いパフォーマンスの発揮、つまり、人間のユーザーが行わなければならないステップを減少するために設けられていることができる。動物の洗浄が迅速で簡単に行われるので、ここに記述される一つまたはそれ以上の実施形態による動物洗浄ツールを使用すれば、自身の動物の洗浄がより日常的なルーチンになり、大変なことではなくなることができる。
【０１５２】
さらに、もし多くの水が動物の表面に残っていると悪臭が生まれ始めるので、動物の洗浄効果を相殺するかもしれない洗浄に使用される水の量を、ここに記述された動物洗浄ツールの一つまたはそれ以上の実施形態は減らすことができる。ここに記述されるように、動物の表面につけ、より良い香りを残す香水を洗浄剤は含むことができる。さらに、上記のように、動物洗浄ツールの一つまたはそれ以上の実施形態では、洗浄剤液にはノミやダニを制御する化学薬品または溶液がはいっていることができる。他の実施形態では。動物洗浄ツールから洗浄剤を放出する代わりに、ノミやダニを退治し制御するための組成または溶液が動物洗浄ツールから出て、動物の表面にブラッシングされることができる。
【０１５３】
さらに、ここに記述される一つまたはそれ以上の実施形態では、動物洗浄ツールや流体供給ユニットは、持ち運び可能で、動物の毛、毛皮、外側の表皮をブラッシングする一つまたはそれ以上のブラッシングエレメント、洗浄剤および/または気流を動物の表面の上に出すための一つまたはそれ以上の開口を有していることができる。持ち運び可能なユニットを作成することで、より頻繁で規則的に家庭で飼われるペットのような自身の動物の洗浄や衛生維持をユーザーができるようにすることができる。つまり、たとえユーザーとその動物が家にいなくても、持ち運び可能な洗浄ツールおよび/または持ち運び可能なユニットは、どこでもユーザーが動物を洗浄、衛生維持できるようにすることができる。これは、汚れた動物による悪臭や病原菌を除くまたは減らすことによってユーザーに有益となり、動物との良質な時間を過ごすことが楽しみになって、カップルおよび/または家族と同じく個人を勇気づけることができる。つまり、動物洗浄ツールの一つまたはそれ以上の実施形態は、長い間感じていた必要性と長い間動物のオーナーや特にペットの飼い主を苦しめていた問題に対しての多くの利点や解決を提供する。
【０１５４】
上記のイラスト化された実施形態の詳細な説明は、当業者が発明を利用できるように十分詳しく記述されている。不必要な詳細を避けるため、説明は当業者には周知されている一定の情報を省略した。
【０１５５】
ここに記されたイラスト化した実施形態は、あるイラスト化した限定はされない実施形態のコンテキストにすでに開示されているが、さまざまな変更、置換、入れ替え、調節は添付の特許請求（クレーム）の範囲によって規定される本発明の範囲から逸脱することなく実施することができることが理解される。あらゆる実施形態に渡って記述されたあらゆる特徴は、またあらゆる他の実施形態にも適用可能であることができる。他の実施形態が使用され、論理的構造的、機械的、化学的な変化が本発明の精神または範囲から逸脱することなく実施されることができる。
【０１５６】
本発明は限られた数の実施形態に関して記述されているが、ここに記述されたように本発明の精神範囲から逸脱しない他の実施形態も包含しうることは、この開示の利点を持って、当業者には理解可能である。さらに、開示の範囲は添付されたクレームによってのみ限定されるべきである。
【符号の説明】
【０１５７】
１０：動物
１０：ノズルディスペンド
２０：洗浄ツール
２１：セレクタ
２２：活性化メカニズム
２４：インレット
２６：供給ホース
２８：アウトレット
３０：気流調整器
３１：洗浄剤調整器
３２：洗浄剤リザーバー
３４：流体供給ユニット
３６：パワーサプライ
３６：パワーサプライ源
３８：上部ケース部分
３８：洗浄ツール20の本体
４０：ブラッシングエレメント
４２：ユーザー
４４：ハンドルアッセンブリ
４６：ケース
４６：流体供給ユニットケース
４８：流体供給ユニットベース
５０：洗浄剤
５２：空気供給導管
５４：洗浄剤供給導管
５５：洗浄剤
５６：空気供給源
５８：内腔
６０：空気供給導管
６２：洗浄剤供給導管
６４：底プレート
６４：2番目の導管として形成されている洗浄剤導管
６５：エア（空気）
６５：気流
６６：排気口
６６：気流
６７：空気タンク
６９：ノズル
７０：留め具穴
７１：留め具
７２：上面
７３：洗浄ツール20の底表面
７４：側壁対
７４：側壁
８０：アライメントチューブ
８１：フランジ
８２：排気チューブ
８２：空気チューブ
８４：排気チューブ
８６：排洗浄剤チューブ
８６：洗浄剤チューブ
８６：洗浄剤チューブ出口
８７：排洗浄剤チューブ
８７：排気チューブ
８９：流体リリースキャップ
８９：液体リリースキャップアパーチャ
８９：中央アパーチャ
９０：流体リリースキャップ
９１：空気キャップ穴
９２：先細るテーパーリング部分
９２：テーパーリング部分
９３：空気穴体
９６：洗浄剤アパーチャ
９８：最初の側
１０４：スプレー
１０６：ベース端
１０８：端
１０８：ディスペンド端
１０８：ディスペンション端
３０２：本体
３０４：スレッド
３０６：底表面
３０８：外側表面
３０８：外側表面
７０４：支持構造
７０６：セレクタ
７０８：支払いデバイス
７１０：動物
７１２：取り付けデバイス
７２０：動物洗浄ツール
７２６：供給ホース
７３４：流体供給ユニット
７３８：上部ケース部分
７４０：ブラッシングエレメント
７６４：底プレート
１００２：レセプタクル
１００４：ノズル
１００４：ノズルアパーチャ
１００６：内側端
１０１０：内側の接続体
１０１２：導管
１０３８：上部ケース部分
１０５８：上部ケース部分の内腔
１０６６：ブラッシングエレメント
１１０２：インサート
１１０８：留め具穴
１１１０：インサート体
１１１２：インサート1102の低い底部分
１１６４：インサートサポート表面
１１６６：排気開口
１２０４：留め具
１２６０：空気供給導管
１２６１：導管
１２６２：洗浄剤導管
１２９０：流体リリースキャップ
１２９１：空気キャップ穴
１２９３：空気キャップ体
１３０２：動物洗浄ツール
１３０４：ハンドルアッセンブリ
１３０８：セレクタ
１３１０：トリガー
１３１０：空気供給チャンバー
１３１２：パワーサプライ源
１３１２：扇風機
１３１４：吸気ベント
１３１４：オン/オフ選択メカニズム
１３１６：モーター
１３１８：洗浄剤貯蔵コンパートメント
１３２０：洗浄剤
１３２２：ノズル
１３２２：洗浄プレート
１３２４：ブラッシングエレメント
１３２６：排気開口
１３２８：洗浄剤アパーチャ
１３３１：ノズル
１３３４：動物洗浄ツール
１３３４：ケース
１３３４：動物洗浄ツールケース
１３３４：気流
１３３４：空気
１３３６：エア（空気）
１５０２：流体供給ユニット内の空気源を活性化するユーザー入力（ステップ）
１５０４：流体供給ユニット内の空気源から動物洗浄ツールのプレート表面にあるまたは取り付けられている空気開口のセットへ空気を流すこと（ステップ）
１５０６：動物洗浄ツールのプレート表面にあるまたは取り付けられている空気開口のセットから、動物の表面に空気を流すこと（ステップ）
１５０８：動物洗浄ツールのプレート表面にあるまたは取り付けられている少なくとも一つの開口からの洗浄剤のリリース（ステップ）
１５１０：粒子の噴霧されたスプレーとして動物の表面に洗浄剤は放出されることができる（ステップ）
【図１】
2019526224.tif 000003
【図２】
2019526224.tif 000004
【図３】
2019526224.tif 000005
【図４】
2019526224.tif 000006
【図５】
2019526224.tif 000007
【図６】
2019526224.tif 000008
【図７】
2019526224.tif 000009
【図８】
2019526224.tif 000010
【図９】
2019526224.tif 000011
【図１０】
2019526224.tif 000012
【図１１】
2019526224.tif 000013
【図１２】
2019526224.tif 000014
【図１３】
2019526224.tif 000015
【図１４】
2019526224.tif 000016
【図１５】
2019526224.tif 000017
【国際調査報告】
2019526224.tif 000018
2019526224.tif 000019
2019526224.tif 000020